(57)【特許請求の範囲】
【請求項１】
記録時においては、素材としての映像や音声情報を記録媒体に記録すると共に、記録媒体に記録した素材に、少なくともＩＤ及びタイムコードからなる管理情報を付与し、
再生時においては、上記ＩＤを１つまたは複数指定したときに、指定されたＩＤに対応する素材を、上記記録媒体から少なくとも指定された順序で再生する記録再生方法において、
上記記録媒体に素材を記録する際に、上記素材中のタイムコード、或いは上記素材に付加されているタイムコードをも記録し、再生時においては、上記素材と共に、上記タイムコードも再生することを特徴とする記録再生方法。
【請求項２】
素材としての映像や音声情報を記録媒体に記録すると共に、記録媒体に記録した素材に、少なくともＩＤ、記録媒体におけるアドレス、タイムコードからなる管理情報を付与し、
上記記録媒体に記録した素材のアドレスや長さを変更する際には、変更すべき素材に付与されている上記管理情報の他に新たな管理情報を生成し、
上記ＩＤを１つまたは複数指定したときに、上記記録媒体から指定されたＩＤに対応する素材を、少なくとも指定された順序で再生する記録再生方法において、
上記記録媒体に素材を記録する際に、上記素材中のタイムコード、或いは上記素材に付加されているタイムコードをも記録し、再生時においては、上記素材と共に、上記タイムコードも再生することを特徴とする記録再生方法。
【請求項３】
再生または入力素材としての映像や音声情報をディスクに記録し、ディスクに記録した素材を再生するようにした記録再生装置であって、
上記再生または入力素材をディスクに記録する際に、少なくともＩＤ、ディスク上のアドレス、タイムコードからなる管理情報を生成する管理情報生成手段と、
この管理情報生成手段で生成した管理情報を記憶する記憶手段と、
ディスクから素材を再生する際に、指定されたＩＤに対応する、上記記憶手段に記憶されている管理情報に基いて再生制御を行う再生制御手段と、
この再生制御手段からの制御情報に基いてディスクに記録されている素材を再生する再生手段とを有する記録再生装置において、
上記管理情報生成手段を、
上記記憶手段に記憶されているＩＤの内、使用されていない最も小さいＩＤをサーチするＩＤサーチ手段と、
上記ＩＤサーチ手段のサーチ結果に基いてＩＤを生成するＩＤ生成手段と、
上記記憶手段に記憶されている管理情報を参照し、上記ディスクの空き領域の内、最も小さいアドレスをサーチするアドレスサーチ手段と、
素材のディスクへの記録開始時点のタイムコードを判別するタイムコード判別手段と、
上記ディスクに記録する素材のデータ長を検出するデータ長検出手段と、
上記ＩＤ生成手段からのＩＤデータ、上記アドレスサーチ手段からのアドレスデータ、上記タイムコード判別手段からの判別結果に基いて記録すべき素材の管理情報を生成し、生成した管理情報を上記記憶手段に記憶する制御部とで構成する記録再生装置。
【請求項４】
上記ＩＤを、付与されている情報を指定するための情報と、元の情報から変更された回数を示す情報とで構成する請求項３記載の記録再生装置。
【請求項５】
再生または入力素材としての映像や音声情報をディスクに記録し、ディスクに記録した素材を再生するようにした記録再生装置であって、
上記再生または入力素材をディスクに記録する際に、少なくともＩＤ、ディスク上のアドレス、タイムコードからなる管理情報を生成する管理情報生成手段と、
この管理情報生成手段で生成した管理情報を記憶する記憶手段と、
１つ或いは複数のＩＤデータで１つのファイルを構成させ、再生時においては、指定されたファイルを構成するＩＤデータに対応する、上記記憶手段に記憶されている管理情報に基いて再生制御を行う再生制御手段と、
この再生制御手段からの制御情報に基いてディスクに記録されている素材を再生する再生手段とを有する記録再生装置において、
上記ＩＤを、付与されている情報を指定するための情報と、元の情報から変更された回数を示す情報とで構成する記録再生装置。
【請求項６】
再生または入力素材としての映像や音声情報をディスクに記録し、ディスクに記録した素材を再生するようにした記録再生装置において、
上記再生または入力素材をディスクに記録する際に、少なくともＩＤ、ディスク上のアドレス、タイムコードからなる管理情報を生成する管理情報生成手段と、
この管理情報生成手段で生成した管理情報を記憶する記憶手段と、
記録時に記録しようとする素材にタイムコードデータが付加されているか否かを判別する判別手段と、
この判別手段の判別結果により、記録しようとする素材にタイムコードが付加されていないことを認識した場合にタイムコードを発生し、発生したタイムコードを記録しようとする素材に付加するタイムコード発生手段と、
ディスクから素材を再生する際に、指定されたＩＤに対応する、上記記憶手段に記憶されている管理情報に基いて再生制御を行う再生制御手段と、
この再生制御手段からの制御情報に基いてディスクに記録されている素材を再生する再生手段と、
上記再生手段によって上記ディスクから再生された素材からタイムコードを抽出するタイムコード抽出手段と、
このタイムコード抽出手段からのタイムコードを表示する表示手段とを有する記録再生装置。
【請求項７】
上記ＩＤを、付与されている情報を指定するための情報と、元の情報から変更された回数を示す情報とで構成する請求項６記載の記録再生装置。
【請求項８】
再生または入力素材としての映像や音声情報をディスクに記録し、ディスクに記録した素材を再生するようにした記録再生装置において、
上記再生または入力素材をディスクに記録する際、或いは上記ディスクに記録した素材のアドレスや長さを変更する際に、少なくともＩＤ、ディスク上のアドレス、タイムコードからなる管理情報を生成する管理情報生成手段と、
この管理情報生成手段で生成した管理情報を記憶する記憶手段と、
ディスクから素材を再生する際に、指定されたＩＤに対応する、上記記憶手段に記憶されている管理情報に基いて再生制御を行う再生制御手段と、
この再生制御手段からの制御情報に基いてディスクに記録されている素材を再生する再生手段とを有する記録再生装置。
【請求項９】
上記ＩＤを、付与されている情報を指定するための情報と、元の情報から変更された回数を示す情報とで構成する請求項８記載の記録再生装置。
【請求項１０】
再生または入力素材をディスクに記録し、ディスクに記録した素材を再生するようにした記録再生装置であって、
上記再生または入力素材をディスクに記録する際に、少なくともＩＤ、ディスク上のアドレス、タイムコードからなる管理情報を生成する管理情報生成手段と、
この管理情報生成手段で生成した管理情報を記憶する記憶手段と、
再生時においては、指定された１つまたは複数のＩＤに対応する、上記記憶手段に記憶されている管理情報に基いて順次再生制御を行う再生制御手段と、
この再生制御手段からの制御情報に基いてディスクに記録されている素材を再生する再生手段とを有する記録再生装置において、
上記ＩＤを、付与されている情報を指定するための情報と、元の情報から変更された回数を示す情報とで構成することを特徴とする記録再生装置。
【請求項１１】
記録時においては、所望の長さの素材としての映像や音声情報をディスクに記録すると共に、ディスクに記録した素材に、少なくともＩＤ、ディスクにおけるアドレス、タイムコードからなる管理情報を付与し、
再生時においては、上記ＩＤを１つまたは複数指定したときに、上記記録媒体から指定されたＩＤに対応する管理情報に基いて、指定されたＩＤに対応する素材を、少なくとも指定された順序で再生し、
再生した素材に編集処理を施し、
編集処理を施した素材の内、編集部分に対応する素材を上記ディスクに記録すると共に、上記編集部分に対応する素材に、少なくともＩＤ、ディスクにおけるアドレス、タイムコードからなる管理情報を付与し、
再生時においては、上記ＩＤを１つまたは複数指定したときに、上記記録媒体から指定されたＩＤに対応する管理情報に基いて、指定されたＩＤに対応する素材を、少なくとも指定された順序で再生する編集方法において、
上記ディスクに素材を記録する際に、上記素材中のタイムコード、或いは上記素材に付加されているタイムコードをも記録し、再生時においては、上記素材と共に、上記タイムコードも再生することを特徴とする編集方法。
【請求項１２】
記録時においては、所望の長さの素材としての映像や音声情報をディスクに記録すると共に、ディスクに記録した素材に、少なくともＩＤ、ディスクにおけるアドレス、タイムコードからなる管理情報を付与し、
再生時においては、上記ＩＤを１つまたは複数指定したときに、上記記録媒体から指定されたＩＤに対応する管理情報に基いて、指定されたＩＤに対応する素材を、少なくとも指定された順序で再生し、
再生した素材に編集処理を施し、
編集処理を施した素材の内、編集部分に対応する素材を上記ディスクに記録すると共に、上記編集部分に対応する素材に、少なくともＩＤ、ディスクにおけるアドレス、タイムコードからなる管理情報を付与し、
再生時においては、上記ＩＤを１つまたは複数指定したときに、上記記録媒体から指定されたＩＤに対応する管理情報に基いて、指定されたＩＤに対応する素材を、少なくとも指定された順序で再生する編集方法において、
上記ＩＤを、付与されている情報を指定するための情報と、元の情報から変更された回数を示す情報とで構成することを特徴とする編集方法。
【請求項１３】
再生または入力素材としての映像や音声情報をディスクに記録し、ディスクに記録した素材を再生し、再生した素材に対して編集処理を施すようにした編集装置において、
上記再生または入力素材をディスクに記録する際、または編集処理された素材を上記ディスクに記録する際に、少なくともＩＤ、ディスク上のアドレス、タイムコードからなる管理情報を生成する管理情報生成手段と、
この管理情報生成手段で生成した管理情報を記憶する記憶手段と、
ディスクから素材を再生する際に、指定されたＩＤに対応する、上記記憶手段に記憶されている管理情報に基いて再生制御を行う再生制御手段と、
この再生制御手段からの制御情報に基いてディスクに記録されている素材を再生する再生手段と、
この再生手段によって再生された素材に編集処理を施す編集処理手段と、
指定された１つ或いは複数のＩＤに対応する管理情報に基いて上記再生制御手段が上記再生手段を制御することで、上記ディスクから再生される素材並びに編集処理された素材を、記録媒体に記録する記録手段とを有する編集装置において、
上記ＩＤを、付与されている情報を指定するための情報と、元の情報から変更された回数を示す情報とで構成する編集装置。
【請求項１４】
再生または入力素材としての映像や音声情報をディスクに記録し、ディスクに記録した素材を再生し、再生した素材に対して編集処理を施すようにした編集装置において、
上記再生または入力素材をディスクに記録する際、または編集処理された素材を上記ディスクに記録する際に、少なくともＩＤ、ディスク上のアドレス、タイムコードからなる管理情報を生成する管理情報生成手段と、
この管理情報生成手段で生成した管理情報を記憶する記憶手段と、
記録時に記録しようとする素材にタイムコードデータが付加されているか否かを判別する判別手段と、
この判別手段の判別結果により、記録しようとする素材にタイムコードが付加されていないことを認識した場合にタイムコードを発生し、発生したタイムコードを記録しようとする素材に付加するタイムコード発生手段と、
ディスクから素材を再生する際に、指定されたＩＤに対応する、上記記憶手段に記憶されている管理情報に基いて再生制御を行う再生制御手段と、
この再生制御手段からの制御情報に基いてディスクに記録されている素材を再生する再生手段と、
この再生手段によって上記ディスクから再生された素材からタイムコードを抽出するタイムコード抽出手段と、
このタイムコード抽出手段からのタイムコードを表示する表示手段と、
上記再生手段によって再生された素材に編集処理を施す編集処理手段とを有する編集装置。
【請求項１５】
上記ＩＤを、付与されている情報を指定するための情報と、元の情報から変更された回数を示す情報とで構成する請求項１４記載の編集装置。
【請求項１６】
再生または入力素材としての映像や音声情報をディスクに記録し、ディスクに記録した素材を再生し、再生した素材に対して編集処理を施すようにした編集装置において、
上記再生または入力素材をディスクに記録する際、または編集処理された素材を上記ディスクに記録する際に、少なくともＩＤ、ディスク上のアドレス、データ長、タイムコードからなる管理情報を生成する管理情報生成手段と、
この管理情報生成手段で生成した管理情報を記憶する第１の記憶手段と、
ディスクから素材を再生する際に、指定されたＩＤに対応する、上記第１の記憶手段に記憶されている管理情報に基いて再生制御を行う再生制御手段と、
この再生制御手段からの制御情報に基いてディスクに記録されている素材を再生する再生手段と、
この再生手段によって再生された素材に編集処理を施す編集処理手段と、
上記ディスクに記録されている素材並びに編集処理済み素材をＩＤを入力することによって指定する指定手段と、
上記指定手段によって第１の素材、第２の編集済みの素材、第３の素材が指定されたときに、上記第１の素材、上記第２の編集済み素材、第３の素材を再生する際に、上記第１の素材、上記第２の編集済み素材、上記第３の素材に夫々付与されている管理情報を上記第１の記憶手段から順次読み出し、読み出した上記管理情報を記憶するための第２の記憶手段と、
上記第２の記憶手段に記憶した上記第１の素材、上記第２の編集済み素材、上記第３の素材の管理情報の内、少なくとも第１の素材の管理情報のデータ長データを変更し、第３の素材の管理情報のディスク上のアドレスデータ、データ長データ及びタイムコードデータを変更する管理情報変更手段とを有する編集装置。
【請求項１７】
上記ＩＤを、付与されている情報を指定するための情報と、元の情報から変更された回数を示す情報とで構成する請求項１６記載の編集装置。
【発明の詳細な説明】
【０００１】
【産業上の利用分野】
本発明は、例えば一体型編集機や編集システム等に適用して好適な記録再生方法及びその装置並びに編集方法及びその装置に関する。
【０００２】
【従来の技術】
ディジタル、或いはアナログ映像及び音声信号を記録媒体に記録する機器としては、ＶＴＲが一般的である。しかしながら、パーソナルコンピュータやワークステーション等（以下コンピュータと記述する）を用いた画像処理では、映像及び音声信号をハードディスクや光ディスク等に記録するといった技術が一般的になってきている。これに伴って、ＶＴＲで再生した再生映像及び音声信号を、ハードディスクに記録することのできる編集装置も提案されてきている。
【０００３】
図１１は、このような編集装置の一例であり、この図１１に示す編集装置は、ＶＴＲで再生したアナログ映像及び音声信号を、Ａ−Ｄコンバータによってディジタル映像及び音声信号に変換し、変換して得られたディジタル映像及び音声信号を、タイムコードと共に、ディスクドライブ内のハードディスクに記録することができるものである。以下、この図１１を参照して従来の編集装置の構成及び動作について説明する。
【０００４】
図１１に示す再生側ＶＴＲ２にはインターフェース回路７が接続され、更にこのインターフェース回路７にはディスクドライブ８が接続されている。再生側ＶＴＲ２は、２つの記録再生ヘッド３及び４が、スイッチ５の一方及び他方の固定接点５ａ及び５ｂに接続され、このスイッチ５の可動接点５ｃが、ＶＴＲ本体６に接続して構成される。そしてＶＴＲ２は、２つの記録再生ヘッド３及び４が、ヘッド切り換え用のスイッチングパルスで切り換えられる。
【０００５】
インターフェース回路７は、図示せずも、再生側ＶＴＲ２から供給されるアナログ映像及び音声信号をディジタルデータに変換するＡ−Ｄコンバータと、このＡ−Ｄコンバータの出力をディスクドライブ８に供給するためのＳＣＳＩ（Ｓｍａｌｌ  Ｃｏｍｐｕｔｅｒ  Ｓｙｓｔｅｍｓ  Ｉｎｔｅｒｆａｃｅ）インターフェース回路とで構成される。
【０００６】
次に、動作について説明する。
【０００７】
図１１に示すように、ビデオ・テープ・カセット１は、再生側ＶＴＲ２にセットされる。再生側ＶＴＲ２が再生状態になると、ビデオ・テープ・カセット１からアナログ映像及び音声信号が再生される。再生されたアナログ映像及び音声信号は、インターフェース回路７のＡ−Ｄコンバータによってディジタル映像及び音声信号に変換される。
【０００８】
Ａ−Ｄコンバータからのディジタル映像及び音声データは、この後ＳＣＳＩインターフェース回路を介してディスクドライブ８に供給され、このディスクドライブ８内のハードディスクディスクに記録される。ＳＣＳＩインターフェース回路は、Ａ−Ｄコンバータ及びディスクドライブ８間、並びにディスクドライブ８及び出力端子９間のデータ転送処理を制御する。
【０００９】
以上のように、ハードディスクにディジタル映像及び音声データを記録した場合、ＶＴＲとは異なり、媒体に対する巻戻しや早送り動作を行う必要がないので、必要なデータをアクセスする時間がＶＴＲと比較して大幅に向上することができ、しかも、ハードディスクは同じ場所を何度アクセスしても磁気テープのように劣化することがない。
【００１０】
従って、インターフェース回路７の出力端子９に、例えばディジタル・マルチ・エフェクタ（ＤＭＥ）及び音声ミクサを接続し、ハードディスクドライブ８からのディジタル映像データをＤＭＥで処理し、ハードディスクドライブ８からのディジタル音声データを音声ミクサで処理するようにした場合は、次に説明するように、オペレータに効率の良い編集環境を提供することができる。
【００１１】
つまり、何度でも所望のデータのアクセスを高速に行うことが可能となるので、編集作業においては、例えばオペレータが、自身で納得した編集処理が行えるまで、何度でもＤＭＥや音声ミクサを用いた編集作業のやり直しを行うことができる。しかも、オペレータは、ＶＴＲを用いた場合のように、ＶＴＲを操作して、磁気テープを何度も巻戻しさせたり、早送りさせたりすることにより、磁気テープの位置を、所望の再生開始ポイント或いはこのポイントの前後の位置にするといった作業を行わなくても済む。
【００１２】
また、インターフェース回路７の出力端子９に、例えば記録側ＶＴＲを接続し、ハードディスクドライブ８からのディジタル映像及び音声データを、記録側ＶＴＲにセットしているビデオ・テープ・カセットに記録して、例えばいわゆる素材の１本化を行う場合においても、記録すべき所望のデータを高速にアクセスすることができるので、ＶＴＲを用いた場合のように、ＶＴＲを操作して、磁気テープを何度も巻戻しさせたり、早送りさせたりすることにより、磁気テープの位置を、所望の再生開始ポイント或いはこのポイントの前後の位置にするといった作業を行わなくても済む。
【００１３】
尚、本出願人は先に、所定単位の画像データの第１及び第２のポイントを表示手段に表示し、表示手段上に表示された所定単位の第１及び第２のポイントの画像データを指定手段で指定し、指定手段に指定された第１または第２のポイントの画像データのタイムコードデータ、関連する機器の状態、識別番号を制御手段により表示することで、編集効率を向上させると共に、使い勝手を向上させることができるようにした編集装置、例えば画面上に表示したエディット単位の画像データをポインティングデバイスやキーボードを用いて削除、コピー、移動、位置交換することにより、エディットファイルＥＤＬ１〜ＥＤＬｎの内容を変更できるようにしたので、複数のＶＴＲを再生して再チェックしたり、キーボード等で記憶アドレス等を確認し、これを入力したりする等の煩わしい作業を一切行うことなく編集作業ができ、これによって、編集作業の効率化を図ることができようにした編集装置を提案している（特願平５−８７４１３号参照）。
【００１４】
【発明が解決しようとする課題】
ところで、一般的に、編集システム等における映像及び音声信号の編集は、タイムコードを基準にして行われているので、図１１に示したような装置を編集システムで使用する場合には、再生側ＶＴＲ２で再生して得られた映像及び音声データのタイムコードを、編集時に使用できるようにする必要がある。従って、映像及び音声データをディスクに記録する際に、タイムコードも記録すれば、ディスクドライブ８を再生状態にしたときに映像及び音声信号と共に、タイムコードをも得ることができ、これによって、編集時にタイムコードを用いることができる。
【００１５】
しかしながら、ディスクドライブ８にセットされているディスクに、再生側ＶＴＲ２で再生した映像及び音声データ、タイムコードを記録する場合、ディスクの或領域に記録した映像及び音声データのタイムコードが、ディスクの他の領域に記録した映像及び音声データのタイムコードと重複する可能性が非常に高い。
【００１６】
これは、複数のビデオ・テープ・カセットに夫々記録されている素材カットを、ディスクドライブ８のディスクに順次記録する場合や、１本のビデオ・テープ・カセットに記録されているいくつかの素材カットのタイムコードが既に重複していた場合等が考えられる。
【００１７】
一般的に、ビデオ・テープ・カセットに映像及び音声信号を記録する場合、記録開始時点から終了時点まで連続したタイムコードが、自機自身或いは他機（例えば編集コントローラ等）から与えられて記録される。従って、複数のビデオ・テープ・カセットから所望の素材カットをディスクに記録する場合は、当然の如く、或素材カットのタイムコードと、他の素材カットのタイムコードが重複してしまう。
【００１８】
従って、素材のタイムコードが重複した場合、タイムコードで素材をアクセスするようにすると、例えば意図した素材を編集できなかったりする等、編集を正常に行えなくなるという不都合が生じる。
【００１９】
また、１或いは複数のビデオ・テープ・カセットに記録されている映像及び音声信号の内、任意のタイムコードの位置から所望の長さ分の映像及び音声信号を１つの素材とし、この素材をディスクに記録するといった作業を繰り返した場合、ディスクに記録された複数の素材間のタイムコードが全て連続している可能性は殆どない。
【００２０】
例えば１つのビデオ・テープ・カセットに記録されている映像及び音声信号の内、タイムコード００Ｈ（時間）、００Ｍ（分）、００Ｓ（秒）、００Ｆ（フレーム）からタイムコード００Ｈ、０１Ｍ、３０Ｓ、００Ｆまでの映像及び音声信号を指定し、これを素材Ａとしてディスクに記録し、タイムコード０１Ｈ、００Ｍ、００Ｓ、００Ｆからタイムコード０１Ｈ、０３Ｍ、２０Ｓ、００Ｆまでの映像及び音声信号を指定し、これを素材Ｂとしてディスクに記録した場合、素材Ａの終わりのタイムコードと、素材Ｂの始まりのタイムコードは連続しない。
【００２１】
つまり、ビデオ・テープ・カセットに記録されている映像及び音声信号の内、所望の期間の映像及び音声信号を指定し、これを素材としてディスクに記録するようにする場合、ディスクに記録された複数の素材間では、あえてタイムコードが連続するように素材を指定しない限りは、素材間のタイムコードは連続しないのである。
【００２２】
従って、編集時において、再生側ＶＴＲ２にセットされているビデオ・テープ・カセットの記録映像及び音声信号をアクセスするように、例えば任意のタイムコードから他の任意のタイムコードを指定するだけで、ディスクに記録されている映像及び音声データをアクセスすることが非常に困難となる。
【００２３】
そこで、例えばパーソナルコンピュータ等で行われているように、ファイル名を指定することで、ディスクに記録されている映像及び音声データを再生する等、タイムコードを一切使用しないで済むようにすることも考えられる。
【００２４】
しかしながら、タイムコードを用いないで映像及び音声信号の編集や管理を行うことは、現時点においては、技術的な面（タイムコードに代わるものは現時点では実現が難しい）から考えても、また、現実的な面（一般、業務を問わず広くタイムコードが使用されている）から考えても実現は殆ど不可能である。
【００２５】
また、ディスクの容量を大容量にし、再生側ＶＴＲ２からの映像及び音声信号を全て連続的にディスクに記録するようにすれば、ディスク上に記録される映像及び音声信号のタイムコードは連続性を失わないので、編集時においては、あたかも再生側ＶＴＲ２にアクセスを行うかのように、タイムコードによる素材の指定等を行うことができる。
【００２６】
しかしながら、このように全ての映像及び音声信号をディスクに記録するのは、いたずらにディスクの記録容量を消費するだけでなく、例えば最大の記録容量（例えば１ＧＢｙｔｅ）を有するハードディスクドライブをＳＣＳＩインターフェースを介して最大８個接続したとしても、ビデオ・テープ・カセットの記録可能時間にもよるが、ビデオ・テープ・カセットの記録容量には遠く及ばない。つまり、ビデオ・テープ・カセットに記録されている映像及び音声信号を全てディスクに記録するのは殆ど不可能であり、また、使用しない可能性の高い映像及び音声信号をもディスクに記録するというのは、ディスクの記録容量を無駄に消費するだけでなく、映像及び音声データのアクセスの向上が望めない。これは、次に示す問題にも関わる。
【００２７】
ディスクから再生した映像及び音声データをＤＭＥやミクサ等によって編集処理するような場合、もしも、編集をやり直す場合には、元の素材をディスク上からサーチし、再度、編集のやり直しをすることになる。この元の素材をディスクからサーチするときに、より高速にアクセスできるようにすることは、編集作業においては、必須の課題となっており、より高速に素材をサーチできるような装置が要望されているのも現状である。
【００２８】
そこで、再生側ＶＴＲ２からの映像及び音声信号をディスクに記録できるだけ記録し、ディスクに記録されている映像及び音声データの内、編集に使用した映像及び音声データだけを消去し、この消去によって記録可能となったディスク上の記録エリアに、再び再生側ＶＴＲ２からの映像及び音声信号を記録するという方法も考えられる。これによれば、編集済みの映像及び音声データを逐一消去することによって、ディスクの記録容量は少なくても良くなると共に、ディスクの記録領域を有効に使用していることにもなる。
【００２９】
しかしながら、もしも、ディスクから消去してしまった映像及び音声データを編集のやり直し等によって再度使用する必要が生じた場合は、再度、再生側ＶＴＲ２からの映像及び音声信号を、消去した記録エリアに記録しなければならなくなる。つまり、編集に使用した映像及び音声信号を逐一ディスクから消去するするという方法は、内部の処理と、編集を行うオペレータが行う作業を増やすことになり、編集効率の面から考えても好ましくない。
【００３０】
本発明はこのような点を考慮してなされたもので、映像や音声を記録するメディアをディスクとした場合に、効率良くディスクを使用でき、ディスクに記録した映像及び音声データの管理を簡単にし、ディスクに記録されている映像及び音声データを用いた記録再生処理や編集処理を、簡単、且つ、高速にし、これによって、装置やシステムを簡単、且つ、小型化することのできる記録再生方法及びその装置並びに編集方法及びその装置を提案しようとするものである。
【００３１】
【課題を解決するための手段】
本発明記録再生方法は、記録時においては、素材としての映像や音声情報を記録媒体に記録すると共に、記録媒体に記録した素材に、少なくともＩＤ、記録媒体におけるアドレス、及びタイムコードからなる管理情報を付与し、再生時においては、ＩＤを１つまたは複数指定したときに、指定されたＩＤに対応する素材を、記録媒体から少なくとも指定された順序で再生する記録再生方法において、記録媒体に素材を記録する際に、素材中のタイムコード、或いは素材に付加されているタイムコードをも記録し、再生時においては、素材と共に、タイムコードも再生するものである。
【００３２】
また本発明記録再生方法は、素材としての映像や音声情報を記録媒体に記録すると共に、記録媒体に記録した素材に、少なくともＩＤ、記録媒体におけるアドレス、タイムコードからなる管理情報を付与し、記録媒体に記録した素材のアドレスや長さを変更する際には、変更すべき素材に付与されている管理情報の他に新たな管理情報を生成し、ＩＤを１つまたは複数指定したときに、記録媒体から指定されたＩＤに対応する素材を、少なくとも指定された順序で再生する記録再生方法において、記録媒体に素材を記録する際に、素材中のタイムコード、或いは素材に付加されているタイムコードをも記録し、再生時においては、素材と共に、上記タイムコードも再生するものである。
【００３３】
また本発明記録再生装置は、再生または入力素材としての映像や音声情報をディスクに記録し、ディスクに記録した素材を再生するようにした記録再生装置において、再生または入力素材をディスクに記録する際に、少なくともＩＤ、ディスク上のアドレス、タイムコードからなる管理情報を生成する管理情報生成手段と、この管理情報生成手段で生成した管理情報を記憶する記憶手段と、ディスクから素材を再生する際に、指定されたＩＤに対応する、記憶手段に記憶されている管理情報に基いて再生制御を行う再生制御手段と、この再生制御手段からの制御情報に基いてディスクに記録されている素材を再生する再生手段とを有する記録再生装置において、管理情報生成手段を、記憶手段に記憶されているＩＤの内、使用されていない最も小さいＩＤをサーチするＩＤサーチ手段と、ＩＤサーチ手段のサーチ結果に基いてＩＤを生成するＩＤ生成手段と、記憶手段に記憶されている管理情報を参照し、ディスクの空き領域の内、最も小さいアドレスをサーチするアドレスサーチ手段と、素材のディスクへの記録開始時点のタイムコードを判別するタイムコード判別手段と、ディスクに記録する素材のデータ長を検出するデータ長検出手段と、ＩＤ生成手段からのＩＤデータ、アドレスサーチ手段からのアドレスデータ、タイムコード判別手段からの判別結果に基いて記録すべき素材の管理情報を生成し、生成した管理情報を記憶手段に記憶する制御部とで構成するものである。
【００３５】
また本発明記録再生装置は、再生または入力素材としての映像や音声情報をディスクに記録し、ディスクに記録した素材を再生するようにした記録再生装置において、再生または入力素材をディスクに記録する際に、少なくともＩＤ、ディスク上のアドレス、タイムコードからなる管理情報を生成する管理情報生成手段と、この管理情報生成手段で生成した管理情報を記憶する記憶手段と、１つ或いは複数のＩＤデータで１つのファイルを構成させ、再生時においては、指定されたファイルを構成するＩＤデータに対応する、記憶手段に記憶されている管理情報に基いて再生制御を行う再生制御手段と、この再生制御手段からの制御情報に基いてディスクに記録されている素材を再生する再生手段とを有する記録再生装置において、ＩＤを、付与されている情報を指定するための情報と、元の情報から変更された回数を示す情報とで構成するものである。
【００３６】
また本発明記録再生装置は、再生または入力素材としての映像や音声情報をディスクに記録し、ディスクに記録した素材を再生するようにした記録再生装置において、再生または入力素材をディスクに記録する際に、少なくともＩＤ、ディスク上のアドレス、タイムコードからなる管理情報を生成する管理情報生成手段と、この管理情報生成手段で生成した管理情報を記憶する記憶手段と、記録時に記録しようとする素材にタイムコードデータが付加されているか否かを判別する判別手段と、この判別手段の判別結果により、記録しようとする素材にタイムコードが付加されていないことを認識した場合にタイムコードを発生し、発生したタイムコードを記録しようとする素材に付加するタイムコード発生手段と、ディスクから素材を再生する際に、指定されたＩＤに対応する、記憶手段に記憶されている管理情報に基いて再生制御を行う再生制御手段と、この再生制御手段からの制御情報に基いてディスクに記録されている素材を再生する再生手段と、再生手段によってディスクから再生された素材からタイムコードを抽出するタイムコード抽出手段と、このタイムコード抽出手段からのタイムコードを表示する表示手段とを有するものである。
【００３７】
また本発明記録再生装置は、再生または入力素材としての映像や音声情報をディスクに記録し、ディスクに記録した素材を再生するようにした記録再生装置において、再生または入力素材をディスクに記録する際、或いはディスクに記録した素材のアドレスや長さを変更する際に、少なくともＩＤ、ディスク上のアドレス、タイムコードからなる管理情報を生成する管理情報生成手段と、この管理情報生成手段で生成した管理情報を記憶する記憶手段と、ディスクから素材を再生する際に、指定されたＩＤに対応する、記憶手段に記憶されている管理情報に基いて再生制御を行う再生制御手段と、この再生制御手段からの制御情報に基いてディスクに記録されている素材を再生する再生手段とを有するものである。
【００３８】
また本発明記録再生装置は、再生または入力素材としての映像や音声情報をディスクに記録し、ディスクに記録した素材を再生するようにした記録再生装置において、再生または入力素材をディスクに記録する際に、少なくともＩＤ、ディスク上のアドレス、タイムコードからなる管理情報を生成する管理情報生成手段と、この管理情報生成手段で生成した管理情報を記憶する記憶手段と、再生時においては、指定された１つまたは複数のＩＤに対応する、記憶手段に記憶されている管理情報に基いて順次再生制御を行う再生制御手段と、この再生制御手段からの制御情報に基いてディスクに記録されている素材を再生する再生手段とを有する記録再生装置において、ＩＤを、付与されている情報を指定するための情報と、元の情報から変更された回数を示す情報とで構成するものである。
【００３９】
また本発明編集方法は、記録時においては、所望の長さの素材としての映像や音声情報をディスクに記録すると共に、ディスクに記録した素材に、少なくともＩＤ、ディスクにおけるアドレス、タイムコードからなる管理情報を付与し、再生時においては、ＩＤを１つまたは複数指定したときに、記録媒体から指定されたＩＤに対応する管理情報に基いて、指定されたＩＤに対応する素材を、少なくとも指定された順序で再生し、再生した素材に編集処理を施し、編集処理を施した素材の内、編集部分に対応する素材をディスクに記録すると共に、編集部分に対応する素材に、少なくともＩＤ、ディスクにおけるアドレス、タイムコードからなる管理情報を付与し、再生時においては、ＩＤを１つまたは複数指定したときに、記録媒体から指定されたＩＤに対応する管理情報に基いて、指定されたＩＤに対応する素材を、少なくとも指定された順序で再生する編集方法において、ディスクに素材を記録する際に、素材中のタイムコード、或いは素材に付加されているタイムコードをも記録し、再生時においては、素材と共に、タイムコードも再生するものである。
【００４０】
また本発明編集方法は、記録時においては、所望の長さの素材としての映像や音声情報をディスクに記録すると共に、ディスクに記録した素材に、少なくともＩＤ、ディスクにおけるアドレス、タイムコードからなる管理情報を付与し、再生時においては、ＩＤを１つまたは複数指定したときに、記録媒体から指定されたＩＤに対応する管理情報に基いて、指定されたＩＤに対応する素材を、少なくとも指定された順序で再生し、再生した素材に編集処理を施し、編集処理を施した素材の内、編集部分に対応する素材をディスクに記録すると共に、編集部分に対応する素材に、少なくともＩＤ、ディスクにおけるアドレス、タイムコードからなる管理情報を付与し、再生時においては、ＩＤを１つまたは複数指定したときに、記録媒体から指定されたＩＤに対応する管理情報に基いて、指定されたＩＤに対応する素材を、少なくとも指定された順序で再生する編集方法において、ＩＤを、付与されている情報を指定するための情報と、元の情報から変更された回数を示す情報とで構成するものである。
【００４１】
また本発明編集装置は、再生または入力素材としての映像や音声情報をディスクに記録し、ディスクに記録した素材を再生し、再生した素材に対して編集処理を施すようにした編集装置において、再生または入力素材をディスクに記録する際、または編集処理された素材をディスクに記録する際に、少なくともＩＤ、ディスク上のアドレス、タイムコードからなる管理情報を生成する管理情報生成手段と、この管理情報生成手段で生成した管理情報を記憶する記憶手段と、ディスクから素材を再生する際に、指定されたＩＤに対応する、記憶手段に記憶されている管理情報に基いて再生制御を行う再生制御手段と、この再生制御手段からの制御情報に基いてディスクに記録されている素材を再生する再生手段と、この再生手段によって再生された素材に編集処理を施す編集処理手段と、指定された１つ或いは複数のＩＤに対応する管理情報に基いて再生制御手段が再生手段を制御することで、ディスクから再生される素材並びに編集処理された素材を、記録媒体に記録する記録手段とを有する編集装置において、ＩＤを、付与されている情報を指定するための情報と、元の情報から変更された回数を示す情報とで構成するものである。
【００４２】
また本発明編集装置は、再生または入力素材としての映像や音声情報をディスクに記録し、ディスクに記録した素材を再生し、再生した素材に対して編集処理を施すようにした編集装置において、再生または入力素材をディスクに記録する際、または編集処理された素材をディスクに記録する際に、少なくともＩＤ、ディスク上のアドレス、タイムコードからなる管理情報を生成する管理情報生成手段と、この管理情報生成手段で生成した管理情報を記憶する記憶手段と、記録時に記録しようとする素材にタイムコードデータが付加されているか否かを判別する判別手段と、この判別手段の判別結果により、記録しようとする素材にタイムコードが付加されていないことを認識した場合にタイムコードを発生し、発生したタイムコードを記録しようとする素材に付加するタイムコード発生手段と、ディスクから素材を再生する際に、指定されたＩＤに対応する、記憶手段に記憶されている管理情報に基いて再生制御を行う再生制御手段と、この再生制御手段からの制御情報に基いてディスクに記録されている素材を再生する再生手段と、この再生手段によってディスクから再生された素材からタイムコードを抽出するタイムコード抽出手段と、このタイムコード抽出手段からのタイムコードを表示する表示手段と、再生手段によって再生された素材に編集処理を施す編集処理手段とを有するものである。
【００４３】
また本発明編集装置は、再生または入力素材としての映像や音声情報をディスクに記録し、ディスクに記録した素材を再生し、再生した素材に対して編集処理を施すようにした編集装置において、再生または入力素材をディスクに記録する際、または編集処理された素材をディスクに記録する際に、少なくともＩＤ、ディスク上のアドレス、データ長、タイムコードからなる管理情報を生成する管理情報生成手段と、この管理情報生成手段で生成した管理情報を記憶する第１の記憶手段と、ディスクから素材を再生する際に、指定されたＩＤに対応する、第１の記憶手段に記憶されている管理情報に基いて再生制御を行う再生制御手段と、この再生制御手段からの制御情報に基いてディスクに記録されている素材を再生する再生手段と、この再生手段によって再生された素材に編集処理を施す編集処理手段と、ディスクに記録されている素材並びに編集処理済み素材をＩＤを入力することによって指定する指定手段と、指定手段によって第１の素材、第２の編集済みの素材、第３の素材が指定されたときに、第１の素材、第２の編集済み素材、第３の素材を再生する際に、第１の素材、第２の編集済み素材、第３の素材に夫々付与されている管理情報を第１の記憶手段から順次読み出し、読み出した管理情報を記憶するための第２の記憶手段と、第２の記憶手段に記憶した第１の素材、第２の編集済み素材、第３の素材の管理情報の内、少なくとも第１の素材の管理情報のデータ長データを変更し、第３の素材の管理情報のディスク上のアドレスデータ、データ長データ及びタイムコードデータを変更する管理情報変更手段とを有するものである。
【００４７】
【作用】
上述せる本発明記録再生方法によれば、記録時においては、素材としての映像や音声情報を記録媒体に記録すると共に、記録媒体に記録した素材に、少なくともＩＤ、記録媒体におけるアドレス、タイムコードからなる管理情報を付与し、再生時においては、ＩＤを１つまたは複数指定したときに、指定されたＩＤに対応する素材を、記録媒体から少なくとも指定された順序で再生する記録再生方法において、記録媒体に素材を記録する際に、素材中のタイムコード、或いは素材に付加されているタイムコードをも記録し、再生時においては、素材と共に、タイムコードも再生する。これによって、ＩＤが指定されたときに、対応する管理情報に基いて自動的に再生制御を行うことができるので、ディスクに記録された素材の内、所望の素材をＩＤの指定だけで再生することができ、ディスクに記録された素材をＩＤをキーワードにして管理できる。また、ディスク上に記録されている素材を再生しながら、対応するタイムコードをも再生することができ、再生したタイムコードに基いた処理を行うことができる。
【００４８】
また上述せる本発明記録再生方法によれば、素材としての映像や音声情報を記録媒体に記録すると共に、記録媒体に記録した素材に、少なくともＩＤ、記録媒体におけるアドレス、タイムコードからなる管理情報を付与し、記録媒体に記録した素材のアドレスや長さを変更する際には、変更すべき素材に付与されている管理情報の他に新たな管理情報を生成し、ＩＤを１つまたは複数指定したときに、記録媒体から指定されたＩＤに対応する素材を、少なくとも指定された順序で再生する記録再生方法において、記録媒体に素材を記録する際に、素材中のタイムコード、或いは素材に付加されているタイムコードをも記録し、再生時においては、素材と共に、上記タイムコードも再生する。これによって、ＩＤが指定されたときに、そのＩＤに対応する管理情報に基いて自動的に順次再生制御を行うことができるので、ディスクに記録された素材の内、所望の素材をＩＤの指定で、しかも、ＩＤの指定順序で再生することができ、ディスクに記録された素材をＩＤをキーワードにして管理できる。また、ディスク上に記録されている素材を再生しながら、対応するタイムコードをも再生することができ、再生したタイムコードに基いた処理を行うことができる。
【００４９】
また上述せる本発明記録再生装置によれば、再生または入力素材としての映像や音声情報をディスクに記録し、ディスクに記録した素材を再生するようにした記録再生装置において、再生または入力素材をディスクに記録する際に、少なくともＩＤ、ディスク上のアドレス、タイムコードからなる管理情報を管理情報生成手段で生成し、この管理情報生成手段で生成した管理情報を記憶手段に記憶し、再生制御手段がディスクから素材を再生する際に、指定されたＩＤに対応する、記憶手段に記憶されている管理情報に基いて再生手段に対して再生制御を行い、ディスクに記録されている素材を再生する記録再生装置において、管理情報生成手段を、記憶手段に記憶されているＩＤの内、使用されていない最も小さいＩＤをサーチするＩＤサーチ手段と、ＩＤサーチ手段のサーチ結果に基いてＩＤを生成するＩＤ生成手段と、記憶手段に記憶されている管理情報を参照し、ディスクの空き領域の内、最も小さいアドレスをサーチするアドレスサーチ手段と、素材のディスクへの記録開始時点のタイムコードを判別するタイムコード判別手段と、ディスクに記録する素材のデータ長を検出するデータ長検出手段と、ＩＤ生成手段からのＩＤデータ、アドレスサーチ手段からのアドレスデータ、タイムコード判別手段からの判別結果に基いて記録すべき素材の管理情報を生成し、生成した管理情報を記憶手段に記憶する制御部とで構成する。これによって、ＩＤが指定されたときに、制御手段が、そのＩＤに対応する管理情報に基いて自動的に再生制御を行うので、ＩＤが指定されたときに、制御手段が対応する管理情報を得、この管理情報に基いて自動的に再生制御を行うので、ディスクに記録された素材の内、所望の素材をＩＤの指定だけで再生することができ、ディスクに記録された素材をＩＤをキーワードにして管理できる。さらに、二重にＩＤを生成しないようにすることができると共に、ディスクから素材を再生する際に必要なアドレスデータやデータ長データ等の管理情報を予め得ることができ、指定されたＩＤを用いてディスクに記録されている素材を確実、且つ、高速に再生することができる。
【００５１】
また上述せる本発明記録再生装置によれば、再生または入力素材としての映像や音声情報をディスクに記録し、ディスクに記録した素材を再生するようにした記録再生装置において、再生または入力素材をディスクに記録する際に、管理情報生成手段により、少なくともＩＤ、ディスク上のアドレス、タイムコードからなる管理情報を生成し、この管理情報生成手段で生成した管理情報を記憶手段に記憶し、１つ或いは複数のＩＤデータで１つのファイルを構成させ、再生時においては、指定されたファイルを構成するＩＤデータに対応する、記憶手段に記憶されている管理情報に基いて再生制御手段で再生制御を行い、この再生制御手段からの制御情報に基いてディスクに記録されている素材を再生手段で再生する記録再生装置において、ＩＤを、付与されている情報を指定するための情報と、元の情報から変更された回数を示す情報とで構成する。これによって、ファイル名が指定されたときに、制御手段が、そのファイルのＩＤに対応する管理情報に基いて自動的に再生制御を行うので、ディスクに記録された素材の内、所望の素材をＩＤの指定だけで再生することができ、ディスクに記録された素材をＩＤをキーワードにして管理でき、ファイル名の指定だけで、そのファイルデータとしてのＩＤデータに基いて順次素材を自動的に再生することができると共に、ディスク上の記録素材をファイル単位で非常に多くの再生パターンで再生を行うことができる。また、ＩＤデータから元の素材と元の情報から変更された回数を検出することができ、元の素材としての映像や音声情報と、この元の素材としての映像や音声情報から変更されて得られた素材の管理を効率良く行うことができる。
【００５２】
また上述せる本発明記録再生装置によれば、再生または入力素材としての映像や音声情報をディスクに記録し、ディスクに記録した素材を再生するようにした記録再生装置において、再生または入力素材をディスクに記録する際に、少なくともＩＤ、ディスク上のアドレス、タイムコードからなる管理情報を管理情報生成手段で生成し、この管理情報生成手段で生成した管理情報を記憶手段に記憶し、記録時に記録しようとする素材にタイムコードデータが付加されているか否かを判別手段で判別し、この判別手段の判別結果により、タイムコード発生手段が記録しようとする素材にタイムコードが付加されていないことを認識した場合にタイムコードを発生し、発生したタイムコードを記録しようとする素材に付加し、ディスクから素材を再生する際に、指定されたＩＤに対応する、記憶手段に記憶されている管理情報に基いて再生制御手段が再生制御を行い、この再生制御手段からの制御情報に基いてディスクに記録されている素材を再生手段で再生し、再生手段によってディスクから再生された素材からタイムコード抽出手段でタイムコードを抽出し、このタイムコード抽出手段からのタイムコードを表示手段に表示する。これによって、ＩＤが指定されたときに、制御手段が、そのＩＤに対応する管理情報に基いて自動的に再生制御を行うので、ディスクに記録された素材の内、所望の素材をＩＤの指定だけで再生することができ、ディスクに記録された素材をＩＤをキーワードにして管理でき、更に、記録しようとする素材にタイムコードが付加されない場合においても、タイムコードを付加してディスクに記録することができるので、再生時においては、必ずタイムコードを表示手段で表示することができ、従ってタイムコードを基準にしたオペレーティングを行うことができる。
【００５３】
また上述せる本発明記録再生装置によれば、再生または入力素材としての映像や音声情報をディスクに記録し、ディスクに記録した素材を再生するようにした記録再生装置において、再生または入力素材をディスクに記録する際、或いはディスクに記録した素材のアドレスや長さを変更する際に、少なくともＩＤ、ディスク上のアドレス、タイムコードからなる管理情報を管理情報生成手段で生成し、この管理情報生成手段で生成した管理情報を記憶手段に記憶し、ディスクから素材を再生する際に、指定されたＩＤに対応する、記憶手段に記憶されている管理情報に基いて再生制御手段により再生手段に対して再生制御を行い、ディスクに記録されている素材を再生する。これによって、ＩＤが指定されたときに、制御手段が、そのＩＤに対応する管理情報に基いて自動的に再生制御を行うので、ディスクに記録された素材の内、所望の素材をＩＤの指定だけで再生することができ、ディスクに記録された素材をＩＤをキーワードにして管理できる。
【００５４】
また上述せる本発明記録再生装置によれば、再生または入力素材としての映像や音声情報をディスクに記録し、ディスクに記録した素材を再生するようにした記録再生装置において、再生または入力素材をディスクに記録する際に、少なくともＩＤ、ディスク上のアドレス、タイムコードからなる管理情報を管理情報生成手段で生成し、この管理情報生成手段で生成した管理情報を記憶手段に記憶し、再生時においては、指定された１つまたは複数のＩＤに対応する、記憶手段に記憶されている管理情報に基いて再生制御手段により再生手段に対して順次再生制御を行い、ディスクに記録されている素材を再生する記録再生装置において、ＩＤを、付与されている情報を指定するための情報と、元の情報から変更された回数を示す情報とで構成する。これによって、ＩＤが指定されたときに、制御手段が、そのＩＤに対応する管理情報に基いて自動的に再生制御を行うので、ディスクに記録された素材の内、所望の素材をＩＤの指定だけで再生することができ、ディスクに記録された素材をＩＤをキーワードにして管理できる。また、ＩＤデータから元の素材と元の情報から変更された回数を検出することができ、元の素材としての映像や音声情報と、この元の素材としての映像や音声情報から変更されて得られた素材の管理を効率良く行うことができる。
【００５５】
また上述せる本発明編集方法によれば、記録時においては、所望の長さの素材としての映像や音声情報をディスクに記録すると共に、ディスクに記録した素材に、少なくともＩＤ、ディスクにおけるアドレス、タイムコードからなる管理情報を付与し、再生時においては、ＩＤを１つまたは複数指定したときに、記録媒体から指定されたＩＤに対応する管理情報に基いて、指定されたＩＤに対応する素材を、少なくとも指定された順序で再生し、再生した素材に編集処理を施し、編集処理を施した素材の内、編集部分に対応する素材をディスクに記録すると共に、編集部分に対応する素材に、少なくともＩＤ、ディスクにおけるアドレス、タイムコードからなる管理情報を付与し、再生時においては、ＩＤを１つまたは複数指定したときに、記録媒体から指定されたＩＤに対応する管理情報に基いて、指定されたＩＤに対応する素材を、少なくとも指定された順序で再生する編集方法において、ディスクに素材を記録する際に、素材中のタイムコード、或いは素材に付加されているタイムコードをも記録し、再生時においては、素材と共に、タイムコードも再生する。これによって、ＩＤが指定されたときに、そのＩＤに対応する管理情報に基いて自動的に再生制御を行うので、ディスクに記録された素材の内、所望の素材や編集処理した素材をＩＤの指定だけで再生することができ、ディスクに記録された素材をＩＤをキーワードにして再生してディスクの記録容量を効率良く使用しながら簡単、且つ、良好に編集を行うこと、並びにディスクに記録された素材を簡単に管理することができる。また、ディスク上に記録されている素材を再生しながら、対応するタイムコードをも再生することができ、再生したタイムコードに基いた処理を行うことができる。
【００５６】
また上述せる本発明編集方法によれば、記録時においては、所望の長さの素材としての映像や音声情報をディスクに記録すると共に、ディスクに記録した素材に、少なくともＩＤ、ディスクにおけるアドレス、タイムコードからなる管理情報を付与し、再生時においては、ＩＤを１つまたは複数指定したときに、記録媒体から指定されたＩＤに対応する管理情報に基いて、指定されたＩＤに対応する素材を、少なくとも指定された順序で再生し、再生した素材に編集処理を施し、編集処理を施した素材の内、編集部分に対応する素材をディスクに記録すると共に、編集部分に対応する素材に、少なくともＩＤ、ディスクにおけるアドレス、タイムコードからなる管理情報を付与し、再生時においては、ＩＤを１つまたは複数指定したときに、記録媒体から指定されたＩＤに対応する管理情報に基いて、指定されたＩＤに対応する素材を、少なくとも指定された順序で再生する編集方法において、ＩＤを、付与されている情報を指定するための情報と、元の情報から変更された回数を示す情報とで構成する。これによって、ＩＤが指定されたときに、そのＩＤに対応する管理情報に基いて自動的に再生制御を行うので、ディスクに記録された素材の内、所望の素材や編集処理した素材をＩＤの指定だけで再生することができ、ディスクに記録された素材をＩＤをキーワードにして再生してディスクの記録容量を効率良く使用しながら簡単、且つ、良好に編集を行うこと、並びにディスクに記録された素材を簡単に管理することができる。
【００５７】
また上述せる本発明編集装置によれば、再生または入力素材としての映像や音声情報をディスクに記録し、ディスクに記録した素材を再生し、再生した素材に対して編集処理を施すようにした編集装置において、再生または入力素材をディスクに記録する際、または編集処理された素材をディスクに記録する際に、少なくともＩＤ、ディスク上のアドレス、タイムコードからなる管理情報を管理情報生成手段で生成し、この管理情報生成手段で生成した管理情報を記憶手段に記憶し、ディスクから素材を再生する際に、指定されたＩＤに対応する、記憶手段に記憶されている管理情報に基いて再生制御手段が再生手段に対して再生制御を行い、ディスクに記録されている素材を再生し、この再生手段によって再生された素材に対し編集処理手段によって編集処理を施し、指定された１つ或いは複数のＩＤに対応する管理情報に基いて再生制御手段が再生手段を制御することで、ディスクから再生される素材並びに編集処理された素材を、記録手段によってディスクに記録する編集装置において、ＩＤを、付与されている情報を指定するための情報と、元の情報から変更された回数を示す情報とで構成する。これによって、ＩＤが指定されたときに、制御手段が対応する管理情報を得、この管理情報に基いて自動的に再生制御を行うので、ディスクに記録された素材の内、所望の素材や編集処理した素材をＩＤの指定だけで再生することができ、ディスクに記録された素材をＩＤをキーワードにして再生してディスクの記録容量を効率良く使用しながら簡単、且つ、良好に編集を行うこと、並びにディスクに記録された素材を簡単に管理することができる。また、ＩＤデータから元の素材と元の情報から変更された回数を検出することができ、元の素材としての映像や音声情報と、この元の素材としての映像や音声情報から変更されて得られた素材の管理を効率良く行うことができる。
【００５８】
また上述せる本発明編集装置によれば、再生または入力素材としての映像や音声情報をディスクに記録し、ディスクに記録した素材を再生し、再生した素材に対して編集処理を施すようにした編集装置において、再生または入力素材をディスクに記録する際、または編集処理された素材をディスクに記録する際に、少なくともＩＤ、ディスク上のアドレス、タイムコードからなる管理情報を管理情報生成手段で生成し、この管理情報生成手段で生成した管理情報を記憶手段に記憶し、記録時に記録しようとする素材にタイムコードデータが付加されているか否かを判別手段で判別し、この判別手段の判別結果により、タイムコード発生手段が記録しようとする素材にタイムコードが付加されていないことを認識した場合にタイムコードを発生し、発生したタイムコードを記録しようとする素材に付加し、ディスクから素材を再生する際に、指定されたＩＤに対応する、記憶手段に記憶されている管理情報に基いて再生制御手段が再生手段に対して再生制御を行い、ディスクに記録されている素材を再生し、この再生手段によってディスクから再生された素材からタイムコード抽出手段でタイムコードを抽出し、このタイムコード抽出手段からのタイムコードを表示手段に表示し、再生手段によって再生された素材に対して編集処理手段で編集処理を施す。これによって、ＩＤが指定されたときに、制御手段が対応する管理情報を得、この管理情報に基いて自動的に再生制御を行うので、ディスクに記録された素材の内、所望の素材や編集処理した素材をＩＤの指定だけで再生することができ、ディスクに記録された素材をＩＤをキーワードにして再生してディスクの記録容量を効率良く使用しながら簡単、且つ、良好に編集を行うこと、並びにディスクに記録された素材を簡単に管理することができ、更に、タイムコードの付加されていない素材にはタイムコードを付加してディスクに記録し、再生時に表示手段のタイムコードを表示するようにしているので、ディスクを用いた編集であってもタイムコードを用いた編集を行うことができる。
【００５９】
また上述せる本発明編集装置によれば、再生または入力素材としての映像や音声情報をディスクに記録し、ディスクに記録した素材を再生し、再生した素材に対して編集処理を施すようにした編集装置において、再生または入力素材をディスクに記録する際、または編集処理された素材をディスクに記録する際に、少なくともＩＤ、ディスク上のアドレス、データ長、タイムコードからなる管理情報を管理情報生成手段で生成し、この管理情報生成手段で生成した管理情報を第１の記憶手段に記憶し、ディスクから素材を再生する際に、指定されたＩＤに対応する、第１の記憶手段に記憶されている管理情報に基いて再生制御手段で再生手段に対して再生制御を行い、ディスクに記録されている素材を再生し、この再生手段によって再生された素材に対し、編集処理手段で編集処理を施し、指定手段を介してＩＤを入力することによって第１の素材、第２の編集済みの素材、第３の素材が指定されたときに、第１の素材、第２の編集済み素材、第３の素材を再生する際に、第１の素材、第２の編集済み素材、第３の素材に夫々付与されている管理情報を第１の記憶手段から順次読み出し、読み出した管理情報を第２の記憶手段に記憶し、第２の記憶手段に記憶した第１の素材、第２の編集済み素材、第３の素材の管理情報の内、少なくとも第１の素材の管理情報のデータ長データ、第３の素材の管理情報のディスク上のアドレスデータ、データ長データ及びタイムコードデータを管理情報変更手段で変更する。これによって、ＩＤが指定されたときに、制御手段が対応する管理情報を得、この管理情報に基いて自動的に再生制御を行うので、ディスクに記録された素材の内、所望の素材や編集処理した素材をＩＤの指定だけで再生することができ、ディスクに記録された素材をＩＤをキーワードにして再生してディスクの記録容量を効率良く使用しながら簡単、且つ、良好に編集を行うこと、並びにディスクに記録された素材を簡単に管理することができ、更に、第１の素材と第２の素材の編集部分としての第３の素材のみを別途記録することができるので、ディスクの記録容量の大幅な節約ができると共に、第１、第２及び第３の素材を第３の素材を編集して生成したときと同じ状態で１系統の素材として出力することができる。
【００６３】
【実施例】
以下に、図を参照して本発明記録再生方法及びその装置並びに編集方法及びその装置の一実施例について詳細に説明する。
【００６４】
本発明記録再生方法及びその装置並びに編集方法及びその装置の一実施例の説明は、次に示す項目説明を各項目の先頭に記載し、各項目について次に示す順序で説明する。尚、以下の説明においては、説明の便宜上、先に図２を参照して本発明記録再生方法及びその装置並びに編集方法及びその装置が適用される編集装置の説明を行い、次に本発明記録再生方法及びその装置並びに編集方法及びその装置の一実施例の要部について説明する。
【００６５】
［実施例１］
【００６６】
Ａ．本発明の適用される編集装置の構成及びその動作の説明（図２参照）
Ｂ．本発明の一実施例の要部を示す図２に示したシステムコントローラ６３の内部構成例を示すブロック図（図１参照）
Ｃ．図２に示した入力インターフェース回路５３の内部構成例及びその動作の説明（図３参照）
Ｄ．図２に示した出力インターフェース回路５８及び５９の内部構成例及びその動作の説明（図４参照）
Ｅ．アドレス管理テーブルの一例の説明（図５参照）
Ｆ．素材に対するＩＤ付与方式の説明（図６参照）
Ｇ．アドレス管理テーブルへの管理情報記憶動作の説明（図７参照）
Ｈ．記録媒体から素材を再生する場合の動作の説明（図８参照）
Ｉ．記録済みの素材をカットし、異なる素材ＩＤを有する素材として記録する場合の動作の説明（図９参照）
Ｊ．映像特殊効果、音声効果処理を施して、新たな素材ＩＤを付与して記録する場合の動作の説明（図１０参照）
【００６７】
Ａ．本発明の適用される編集装置の構成及びその動作の説明（図２参照）
【００６８】
図２は本発明記録再生方法及びその装置並びに編集方法及びその装置を適用した編集装置の例を示す構成図である。
【００６９】
〔接続及び構成〕
【００７０】
この図１において、ビデオ・テープ・カセット５０Ａは編集すべき素材が収録されており、再生機５１はビデオ・テープ・カセット５０Ａがセットされる。再生機５１としては、アナログ或いはディジタルＶＴＲが使用可能であり、ディジタルＶＴＲの場合では、コンポーネント或いはコンポジット記録方式のディジタルＶＴＲでも、コンポーネント或いはコンポジット圧縮記録方式のディジタルＶＴＲが使用可能である。以下の説明においては、再生機５１にディジタルＶＴＲを使用した場合について説明する。また、信号線は説明の便宜上、図においては単線にしているが、実際には、映像及び音声データに対して夫々複数本の信号線を有するものとする。
【００７１】
再生機５１の出力端をスイッチ５２の他方の固定接点５２ｂに接続し、このスイッチ５２の一方の固定接点５２ａをＤＭＥ（ディジタル・マルチ・エフェクタ）／ミクサ６０の出力端に接続し、このスイッチ５２の可動接点５２ｃを入力インターフェース回路５３の入力端に接続する。また、この入力インターフェース回路５３の出力端をバス５４に接続する。
【００７２】
ＤＭＥ／ミクサ６０の映像及び音声データの一方の入力端をスイッチ６１の一方の固定接点６１ａに接続し、このスイッチ６１の他方の固定接点６１ｂを記録機６２の映像及び音声データの入力端に接続し、このスイッチ６１の可動接点６１ｃを出力インターフェース回路５８の出力端に接続する。また、この出力インターフェース回路５８の入力端をバス５４に接続する。また、出力インターフェース回路５９の出力端をＤＭＥ／ミクサ６０の他方の入力端に接続する。
【００７３】
ここで、入力インターフェース回路５３は、入力される映像及び音声データの内、映像データを圧縮符号化する。また、出力インターフェース回路５８及び５９は、入力される圧縮映像及び音声データの内、圧縮映像データを圧縮復号化する。勿論、音声データを入力インターフェース回路５３で圧縮符号化し、圧縮音声データを出力インターフェース回路５８及び５９で夫々圧縮復号化するようにしても良い。また、入力インターフェース回路５３には外部からのアナログ映像及び音声信号入力用の外部入力端子５３ｖ及び５３ａを接続する。
【００７４】
尚、映像及び音声データが１系統の場合には、出力インターフェース回路５８を使用し、映像及び音声データが２系統の場合には、出力インターフェース回路５８及び５９の両方を使用するようにする。出力インターフェース回路５８及び５９の両方を使用する場合は、いわゆるＡＢロール編集等のように、ＤＭＥ／ミクサ６０で２系統の映像及び音声データを編集する場合である。
【００７５】
また、記録機６２としては、アナログ或いはディジタルＶＴＲが使用可能であり、ディジタルＶＴＲの場合では、コンポーネント或いはコンポジット記録方式のディジタルＶＴＲでも、コンポーネント或いはコンポジット圧縮記録方式のディジタルＶＴＲが使用可能である。以下の説明においては、記録機６２にディジタルＶＴＲを使用した場合について説明する。
【００７６】
バス５４をディスクコントローラ５６のデータ入力端に接続し、このディスクコントローラ５６の入出力端をディスクドライブ５７の入出力端に接続する。また、バス５４にバス５４の制御用のバスコントローラ５５を接続する。
【００７７】
ここで、ディスクドライブ５７にセット、或いは一体型としてセットされるディスクとしては、ハードディスク、光ディスク（ライトワンス、相変化メディアを含む）、光磁気ディスク、少なくとも２０ＭＢｙｔｅ以上の記録容量を有するフレキシブルディスク、シリコンディスクが使用可能である。本例においては、ハードディスクを用いるものとして説明する。
【００７８】
システムコントローラ６３は、入力インターフェース回路５３を介して供給されるデータ記録制御信号、並びに出力インターフェース回路５８を介して供給されるデータ再生制御信号に基いて、スイッチ５２及び５９の切り換え制御、バスコントローラ５５に対するバス転送制御、ディスクコントローラ５６に対するディスクアクセス制御、並びに記録する素材に対する管理情報の付与を行う。この管理情報は、記録時に素材に対して夫々付与される、素材ＩＤ、リールＩＤ（ソースＩＤ）、ディスク上のアドレス、テープ上に記録されていたときのタイムコードまたはシステムコントローラ６３で付加されたタイムコードからなる情報とする。この管理情報については、図５や図６を参照して後に詳しく説明する。
【００７９】
編集コントローラ６４は、入出力ポート６４ａ、ＣＰＵ６４ｂ、制御用のプログラムデータや後述するファイル作成用のプログラムデータ等を記憶したＲＯＭ６４ｃ、ワーク用のＲＡＭ６４ｄ及び後述するＩＤデータで構成されるファイルデータを記録するためのメディアドライブ６４ｅからなる。この編集コントローラ６４は、再生機５１に対する再生制御、ＤＭＥ／ミクサ６０に対する効果制御、記録機６２に対する記録制御、入力インターフェース回路５３に記録を示す記録再生制御信号を供給することで行うデータ記録制御、出力インターフェース回路５８及び５９に再生を示す記録再生制御信号を供給することで行うデータ再生制御、並びにシステムコントローラ６３に対する記録再生制御（同期も含む）や操作部６５を介して入力された各種パラメータデータ等のシステムコントローラ６３への供給を行う。
【００８０】
ここで、上記メディアドライブ６４ｅのメディアとしては、例えばＩＣカード（フラッシュメモリカード、ＲＡＭカード等）、シリコンディスク、フレキシブルディスク、ハードディスク（リムーバブルタイプも含む）、光ディスク等が使用可能である。
【００８１】
操作部６５は、編集コントローラ６４に指示を行うための各種キーを有する操作パネル６６と、編集コントローラ６４から供給される各種情報や、指示した内容や映像を表示する表示器６７と、再生音声を出力するためのスピーカ６８で構成する。操作パネル６６は、イン点及びアウト点指定キー、ジョグダイヤル、シャトルキー、再生キー、記録キー、リワインドキー、ファーストフォワードキー、キューキー、レビューキー、音声処理用のフェーダー、パンニング用のキー、イコライジング用のキー、ブースト用のキー、特殊効果処理用の各種キー、ミックス／ワイプ用のキー、ファイル名やタイムコードを入力するためのキーボード等を有する。
【００８２】
〔動作〕
【００８３】
以下の動作説明では、再生機５１にセットされている素材テープとしてのビデオ・テープ・カセット５０Ａに記録されているディジタル映像及び音声データの内の所望の映像及び音声データを、素材の先頭（イン点）のタイムコード及び素材の終わり（アウト点）のタイムコードを操作部６５で指定し、操作部６５でタイムコードを指定することによって、再生機５１から得られる所望の映像及び音声データを、ディスクドライブ５７にセットされているディスクに記録し、ディスクに記録した映像及び音声データを再生し、再生して得られた映像及び音声データを、記録機６２にセットされている編集済みテープとしてのビデオ・テープ・カセット５０Ｂに記録する場合を例にとり説明する。
【００８４】
先ず、操作部６５の操作パネル６６を操作して、再生機５１を再生状態にすると、システムコントローラ６３が編集コントローラ６４からの記録再生制御信号に基いて、スイッチ５２にスイッチング制御信号を供給し、スイッチ５２の可動接点５２ｃを他方の固定接点５２ｂに接続させる。次に、編集コントローラ６４が、再生機５１に再生制御信号を供給して、再生機５１を再生状態にする。再生機５１からの再生映像データは、入力インターフェース回路５３、バス５４、出力インターフェース回路５８を介して操作部６５の表示器６７に供給され、その表示面上に画像としてタイムコードと共に表示され、再生音声データは入力インターフェース回路５３、バス５４、出力インターフェース回路５８及び操作部６５のアンプ６８を介してスピーカ６９に供給され、スピーカ６９から音声として出力される。
【００８５】
この状態で、オペレータが、操作部６５の操作パネル６６のイン点指定キー及びアウト点指定キーを押圧すると、イン点指定キーが押圧された時点に再生機５１から供給されているタイムコードと、アウト点指定キーが押圧された時点に再生機５１から供給されているタイムコードが、編集コントローラ６４のＲＡＭ６４ｄに供給されて記憶され、これによって、１つの素材が指定されることになる。勿論、表示器６７にはタイムコードも表示されるので、例えば低速再生時に表示されるタイムコードを紙等にメモし、後でキーボードを介してイン点及びアウト点のタイムコードを入力して素材を指定することもできる。
【００８６】
続いて、オペレータが、操作部６５の操作パネル６６のキーを介して、素材の記録を指定した場合は、編集コントローラ６３は、再生機５１を制御して、再生機５１にセットされているビデオ・テープ・カセット５０Ａのテープの位置を、メモリに記憶されているイン点のタイムコードよりも手前、つまり、プリロール期間分だけ手前の位置にする。
【００８７】
この後、編集コントローラ６３は、再生機５１に再生制御信号を供給し、再生機５１を再生状態にすると共に、システムコントローラ６３に記録再生制御信号を供給する。再生機５１が再生状態になると、再生機５１から再生映像及び音声データが出力される。システムコントローラ６３は、編集コントローラ６４から制御信号が供給されると、バスコントローラ５５に制御信号を供給し、バスコントローラ５５にバス転送制御を行わせる。
【００８８】
再生機５１から出力された再生映像及び再生音声データは、スイッチ５２を介して入力インターフェース回路５３に供給される。入力インターフェース回路５３において、再生映像データは圧縮符号化処理される。圧縮符号化処理された映像データ及び音声データは、バス５４を介してディスクコントローラ５６に供給される。
【００８９】
ここで、システムコントローラ６３は、ディスクコントローラ５６に対してディスクアクセス制御を行うと共に、記録すべき素材の管理情報を、図示しないアドレス管理テーブル３１（図２参照）に書き込む。ディスクコントローラ５６に供給された圧縮映像及び音声データは、ディスクコントローラ５６によって例えばＳＣＳＩインターフェース等を介してディスクドライブ５７に供給され、このディスクドライブ５７にセットされているディスク上に順次記録される。
【００９０】
続いて、オペレータが、操作部６５の操作パネル６６を介して、所望の素材の管理情報を入力し、ＤＭＥ／ミクサ６０での効果を設定し、ＤＭＥ／ミクサ６０で処理された映像及び音声データを、記録機６２に記録するよう指示を与えると、編集コントローラ６４は、入力された管理情報と共に記録再生制御信号をシステムコントローラ６３に供給する。
【００９１】
システムコントローラ６３は、スイッチ６１にスイッチング制御信号を供給し、スイッチ６１の可動接点６１ｃを一方の固定接点６１ａに接続させると共に、スイッチ５２にスイッチング制御信号を供給し、スイッチ５２の可動接点５２ｃを一方の固定接点５２ａに接続させる。
【００９２】
また、システムコントローラ６３は、編集コントローラ６４からの管理情報に基いて、ディスクコントローラ５６を制御する。ディスクコントローラ５６は、システムコントローラ６３の制御に基いて、アクセスされた素材の先頭の位置をディスクドライブ５７のヘッドがシークするように、ディスクドライブ５７を制御する。そして、ディスクドライブ５７のヘッドによって、ディスクから読み取られた圧縮映像及び音声データは、ディスクコントローラ５６を介してバス５４に供給される。
【００９３】
ここで、システムコントローラ６３は、バスコントローラ５５に制御信号を供給し、バスコントローラ５５にバス転送制御を行わせる。これによって、バス５４に供給された圧縮映像及び音声データは、出力インターフェース回路５８に供給される。出力インターフェース回路５８に供給された圧縮映像及び音声データの内、圧縮映像データは、出力インターフェース回路５８によって圧縮復号化される。出力インターフェース回路５８を介して出力された映像及び音声データは、スイッチ６１を介してＤＭＥ／ミクサ６０に供給される。
【００９４】
ここで、編集コントローラ６４は、ＤＭＥ／ミクサ６０に効果制御を行う。従って、ＤＭＥ／ミクサ６０に供給される映像データは、このＤＭＥ／ミクサ６０において各種特殊効果処理が施され、音声データは各種音声処理が施される。ＤＭＥ／ミクサ６０からの効果処理済み映像及び音声データは、スイッチ５２を介して入力インターフェース回路５３に供給される。入力インターフェース回路５３に供給された効果処理済み映像及び音声データの内、効果処理済み映像データは、ここで圧縮符号化処理される。入力インターフェース回路５３からの効果及び圧縮処理済み映像データ並びに音声データは、バス５４に供給される。
【００９５】
ここで、システムコントローラ６３は、バスコントローラ５５に制御信号を供給する。バスコントローラ５５はシステムコントローラ６３からの制御信号に基いてバス５４の転送制御を行う。従って、バス５４に供給された効果及び圧縮処理済み映像データ並びに音声データは、出力インターフェース回路５８に供給される。出力インターフェース回路５８に供給された効果及び圧縮処理済み映像データ並びに音声データの内、効果及び圧縮処理済み映像データは、圧縮復号化処理される。
【００９６】
ここで、システムコントローラ６３は、スイッチ６１にスイッチング制御信号を供給し、スイッチ６１の可動接点６１ｃを他方の固定接点６１ｂに接続させる。また、編集コントローラ６４は、この時点、或いはこの時点よるも前の時点において、記録機６２に記録制御信号を供給し、記録機６２を例えば記録一時停止状態、或いは、プリロール期間を考慮に入れた位置から再生を行わせる。
【００９７】
編集コントローラ６４は、出力インターフェース回路５８から効果処理済み映像及び音声データが出力され、記録機６２に供給されるタイミングに合わせ、記録機６２に記録制御信号を供給し、記録機６２を記録状態にする。これによって、出力インターフェース回路５８からスイッチ６１を介して記録機６２に供給される効果処理済み映像及び音声データは、記録機６２にセットされているビデオ・テープ・カセット５０Ｂに傾斜トラックを形成するように記録される。
【００９８】
Ｂ．本発明の一実施例の要部を示す図２のシステムコントローラ６３の内部構成例を示すブロック図（図１参照）
【００９９】
図１は、図２に示した編集装置のシステムコントローラ６３の内部構成例を示すブロック図である。図１に示す構成は、上述したように、メモリ部２７のアドレス管理テーブル２９に記憶してある、素材ＩＤ、記録開始アドレス、記録データ長、素材開始タイムコード及びリールＩＤからなる管理情報に基いて、ディスクに素材としての映像及び音声データを記録する場合、並びに、ディスクから素材としての映像及び音声データを再生する場合に、以下に説明する各種処理を行うためのものである。
【０１００】
〔接続及び構成〕
【０１０１】
図において、制御部３２にアドレスサーチ部２０、素材ＩＤサーチ部２１、素材判別部２２、タイムコード判別部２３、データ長判別部２４、リールＩＤ判別部２５、素材ＩＤ生成部２６、メモリ部２７、演算部３０及びタイムコード発生部３１を夫々接続する。また、この制御部３２の入出力端子３３は、操作部６６からのリールＩＤデータの入力、編集コントローラ６４からの記録再生制御信号の入力、並びに編集コントローラ６４に処理結果等を供給するために用いられる。
【０１０２】
また、入出力端子３４を図２に示した入力インターフェース回路５３に接続し、入出力端子３５を図２に示した出力インターフェース回路５８に接続し、入出力端子３６を図２に示した出力インターフェース回路５９に接続する。入出力端子３４は、図２に示した入力インターフェース回路５３からの記録制御信号の入力及び入力インターフェース回路５３のデータ出力タイミング等の制御を行うための端子であり、入出力端子３５及び３６は、図２に示した出力インターフェース回路５８及び５９から夫々供給される映像及び音声データから抽出されたタイムコードを含む再生制御信号の入力、及び出力インターフェース回路５８及び５９のデータ入力タイミング等の制御を行うための端子である。
【０１０３】
また、入出力端子３７を図２に示したバスコントローラ５５に接続し、入出力端子３８を図２に示したディスクコントローラ５６に接続する。入出力端子３７は、図２に示したバスコントローラ５５に制御信号を供給するための端子であり、入出力端子３８は、図２に示したディスクコントローラ５６に制御信号を供給するための端子である。
【０１０４】
また、出力端子３９を図２に示したスイッチ５２に接続し、出力端子４０を図２に示したスイッチ６１に接続する。出力端子３９及び４０は、夫々図２に示したスイッチ５２及び６１にスイッチング制御信号を供給するための端子である。
【０１０５】
アドレスサーチ部２０は、メモリ部２７のアドレス管理テーブル２９の管理情報を参照することによって、ディスクの空き領域のサーチと、サーチしたディスク空き領域の内の最も値の小さいアドレス（セクタ番号）を検出する機能と、同様にアドレス管理テーブル２９の管理情報を参照することによって、再生時に、素材ＩＤの入力によってアクセスされた、ディスク上に記録されている映像及び音声データの終わりのアドレスである、最終アドレスを判断する機能を有する。映像及び音声データの最終アドレスは、後述する演算部３０から供給される。
【０１０６】
素材ＩＤサーチ部２１は、指定された素材ＩＤの上位桁と一致する素材ＩＤを、アドレス管理テーブル２９の管理情報からサーチし、指定された素材ＩＤの上位桁と一致する素材ＩＤをサーチできた場合に、最も大きい下位桁の素材ＩＤをサーチする機能を有する。
【０１０７】
素材判別部２２は、編集コントローラ６４から供給される記録再生制御信号により、ディスクに記録しようとする素材がビデオ・テープ・カセットに記録されている素材か否かを判別する。ここで、ビデオ・テープ・カセットか否かの判断を行うのは、図２を見ると分かるように、ディスクに記録される素材がビデオ・テープ・カセットから再生されたものである場合（つまり、再生機５１からの出力）と、ＤＭＥ／ミクサ６０から出力されたものである場合と、例えば外部から入力端子５３ｖ及び５３ａを介して入力インターフェース回路５３に供給されたものである場合があるからである。
【０１０８】
タイムコード判別部２３は、図２に示した編集コントローラ６４から入出力端子３３を介して記録の開始を示す記録再生制御信号が供給された後に、入出力端子３４を介して供給されるタイムコードを、記録開始タイムコードであることを判別する機能と、入出力インターフェース回路５３から入出力端子３４を介して供給されるフラグによって、データ中にタイムコードが存在するか否かを判別する機能を有する。
【０１０９】
ここで、タイムコードとしては、ＶＩＴＣ（Ｖｅｒｔｉｃａｌ  Ｉｎｔｅｒｖａｌ  Ｔｉｍｅ  Ｃｏｄｅ）やＬＴＣ（Ｌｏｎｇｉｔｕｄｉｎａｌ  ＴｉｍｅＣｏｄｅ）が使用可能である。
【０１１０】
データ長判別部２４は、編集コントローラ６４から入出力端子３３を介して記録の開始を示す記録再生制御信号が供給された後に、入出力端子３４を介して入力インターフェース回路５３からタイムコードが供給された時点から、終了を示す記録再生制御信号が供給された後に、入出力端子３４を介して入力インターフェース回路５３からタイムコードが供給される時点までのデータ長、例えばこれら２つのタイムコード間のディスクの消費セクタ数を判別する機能を有する。
【０１１１】
但し、セクタ数を判別する場合には、ディスクコントローラ５６から消費セクタ数データを取得するか、或いは、フレーム数を判別し、判別したフレーム数をセクタ数に変換すれば良い。判別したフレーム数をセクタ数に変換する計算は、１フレームのバイト数にフレーム数を乗じ、その結果得られた判別したフレーム数の合計バイト数を得、この合計バイト数を１セクタのバイト数で割り、その結果得られた値に余りがあった場合には、割算をした結果としての値に“１”を加算すれば良い。
【０１１２】
ここで、余りが出た場合に“１”を加算するのは、素材を記録したときのディスク上の最終セクタ番号を認識しておくためである。尚、最終セクタ番号が分かれば、２回目以降の素材の記録時においては、前の最終記録セクタ番号に“１”を加算することによって、簡単に記録開始アドレスを算出することができる。
【０１１３】
リールＩＤ判別部２５は、入出力端子３４を介して入力インターフェース回路５３を介して供給されるリールＩＤ（ビデオ・テープ・カセット５０ＡにリールＩＤが記録されている場合）、或いは操作部６５から編集コントローラ６４及び入出力端子３３を介して供給されるリールＩＤ（オペレータが操作部６５の操作パネル６６を介してリールＩＤを入力した場合）を判別する機能を有する。素材ＩＤ生成部２６は、上述した素材ＩＤを生成する。
【０１１４】
メモリ部２７は、上述したように、素材ＩＤ、記録開始アドレス、記録データ長、素材開始タイムコード及びリールＩＤ等の管理情報からなるアドレス管理テーブル２９と、このアドレス管理テーブル２９の内の使用する管理情報の記憶用、また、ワーク用としてのメモリ２８とを有する。このメモリ部２７は、制御部３２からの読み出し／書き込み信号、制御信号（アドレス信号、ライトイネーブル信号やアウトプットコントロール信号等）によって、制御部３２から供給される管理情報を記憶、或いは記憶している管理情報を出力する。
【０１１５】
演算部３０は、素材ＩＤサーチ部２１が、指定された素材ＩＤの上位桁と一致する素材ＩＤをアドレス管理テーブル２９からサーチし、更に、最も大きい下位桁の素材ＩＤをサーチし、その素材ＩＤを検出したときに、その素材ＩＤの下位桁に“１”を加える機能と、ディスクから素材を読み出すときに、アドレス管理テーブル２９から読み出した記録開始アドレスに記録データ長データを加算して最終アドレスＬを得る機能を有する。
【０１１６】
タイムコード発生部３１は、素材判別部２２における素材判別の結果に基いてタイムコードを発生する。つまり、タイムコード発生部３１は、記録すべき素材がビデオ・テープ・カセットから再生された映像及び音声データではない場合、例えば図２においては、再生機５１から供給される映像及び音声データではなく、外部或いはＤＭＥ／ミクサ６０から供給される映像及び音声データの場合に、タイムコードを発生する機能を有する。このタイムコード発生部３１で発生されたタイムコードは、制御部３２の入出力端子３４を介して入力インターフェース回路５３、或いは直接ディスクコントローラ５６に供給され、記録時に素材に付加されることになる。
【０１１７】
尚、この図１に示すシステムコントローラ６３による管理情報を用いた各種動作については、項目Ｇ、Ｈ及びＩにおいて、図７、図８及び図９を夫々参照して説明する。
【０１１８】
Ｃ．図２に示した入力インターフェース回路５３の内部構成例及びその動作の説明（図３参照）
【０１１９】
図３は図２に示した入力インターフェース回路５３の内部構成例を示す構成図である。
【０１２０】
〔接続及び構成〕
【０１２１】
図において、入力端子７０は、図２に示したスイッチ５２を介して再生機５１またはＤＭＥ／ミクサ６０から供給される映像データを入力インターフェース回路７１に供給するためのものである。この入力端子７０を入力インターフェース回路７１の入力端に接続し、入力インターフェース回路７１の出力端をスイッチ７４の一方の固定接点７４ａに接続し、このスイッチ７４の可動接点７４ｃを圧縮符号化処理回路８０の入力端、記録制御通信コントローラ８６及びタイムコード入力回路８３に夫々接続し、この圧縮符号化処理回路８０の出力端をバッファメモリ８１を介して映像データ出力用の出力端子８２に接続する。
【０１２２】
タイムコード入力回路８３は、スイッチ７４及び入力インターフェース回路７１を介して再生機５１またはＤＭＥ／ミクサ６０から供給される映像データ中のタイムコード、或いはＡ−Ｄコンバータ７３を介して外部から供給される映像データ中のタイムコード、或いは入力端子８４を介して外部から供給されるタイムコードを記録制御通信コントローラ８６及びバッファメモリ８１に夫々供給する。
【０１２３】
入力端子５３ｖは、既に図２において説明したように、外部から供給されるアナログ映像信号を入力インターフェース回路５３に入力するためのものである。この入力端子５３ｖをＡ−Ｄコンバータ７３の入力端に接続し、このＡ−Ｄコンバータ７３の出力端をスイッチ７４の他方の固定接点７４ｂに接続する。
【０１２４】
入力端子７５は、図２に示したスイッチ５２を介して再生機５１またはＤＭＥ／ミクサ６０から供給される音声データを、入力インターフェース回路７６に供給するためのものである。この入力端子７５を入力インターフェース回路７６の入力端に接続し、この入力インターフェース回路７６の出力端をスイッチ７９の一方の固定接点７９ａに接続し、このスイッチ７９の可動接点７９ｃを圧縮符号化処理回路８０の出力端及びバッファメモリ８１の入力端の接続点、並びに記録制御通信コントローラ８６の入力端に夫々接続する。
【０１２５】
入力端子５３ａは、既に図２において説明したように、外部から供給されるアナログ音声信号を入力インターフェース回路５３に入力するためのものである。この入力端子５３ａをＡ−Ｄコンバータ７８の入力端に接続し、このＡ−Ｄコンバータ７８の出力端をスイッチ７９の他方の固定接点７９ｂに接続する。
【０１２６】
記録制御通信コントローラ８６は、入出力端子８５を介して供給される、図２に示した編集コントローラ６４からの記録を示す記録再生制御信号に基いてスイッチング制御信号を得、このスイッチング制御信号を、スイッチ７４及び７９に供給すると共に、入出力端子８７を介して、図２に示したシステムコントローラ６３にデータ記録制御信号を供給する。また、この記録制御通信コントローラ８６は、入出力端子８５を介して編集コントローラ６４から供給される記録再生制御信号に基いて、読み出し／書き込み制御信号を得、この読み出し／書き込み制御信号をバッファメモリ８１に供給する。
【０１２７】
また、この記録制御通信コントローラ８６は、タイムコード入力回路８３からのタイムコードを、入出力端子８７を介して図２に示したシステムコントローラ６３に供給すると共に、タイムコードが供給されない場合には、タイムコードが供給されなかったこと（或いはタイムコードがないこと）を示すフラグを入出力端子８７を介して図２に示したシステムコントローラ６３に供給する。更に、この記録制御通信コントローラ８６は、スイッチ７４及び７９から出力される映像及び音声データから夫々リールＩＤを抽出し、抽出したリールＩＤを、入出力端子８７を介して図２に示したシステムコントローラ６３に供給する。
【０１２８】
ここで、上記入力インターフェース回路７１及び７６は、例えばＳＣＳＩインターフェース、パラレルインターフェース回路である。また、圧縮符号化処理回路８０においては、ＤＣＴ（離散コサイン変換）、ＡＤＲＣ（アダプティブ・ダイナミック・レンジ・コーディング）、ウエーブレット変換、ランレングスやハフマン等の可変長符号化処理等が施される。
【０１２９】
〔動作〕
【０１３０】
先ず、図２に示した再生機５１或いはＤＭＥ／ミクサ６０からの映像データをディスクに記録する場合は次のようになる。オペレータが操作部６５を介して編集コントローラ６４に再生機５１或いはＤＭＥ／ミクサ６０からの映像及び音声データの記録を行うよう指示すると、編集コントローラ６４は入力インターフェース回路５３に記録並びに記録すべき映像及び音声データが外部からのものか否かを示す記録再生制御信号を供給する。
【０１３１】
記録制御通信コントローラ８６は、入力端子８５を介して編集コントローラ６４から供給される記録再生制御信号に基いて、スイッチ７４にスイッチング制御信号を供給し、スイッチ７４の可動接点７４ｃを一方の固定接点７４ａに接続させる。また、記録制御通信コントローラ８６は、入力端子８５を介して供給される記録再生制御信号に基いて、スイッチ７９の可動接点７９ｃを一方の固定接点７９ａに接続させる。
【０１３２】
この状態において、図２に示した再生機５１或いはＤＭＥ／ミクサ６０からの映像データがスイッチ５２及びこの図３に示す入力端子７０を介して入力インターフェース回路７１に供給され、入力インターフェース回路７１に取り込まれた後にスイッチ７４を介して圧縮符号化処理回路８０に供給される。圧縮符号化処理回路８０に供給された映像データは、ここで上述したような各種圧縮処理が施された後に、タイムコード入力回路８３からのタイムコードデータと共にバッファメモリ８１に供給される。
【０１３３】
一方、図２に示した再生機５１或いはＤＭＥ／ミクサ６０からの音声データがスイッチ５２及びこの図３に示す入力端子７５を介して入力インターフェース回路７６に供給され、この入力インターフェース回路７６に取り込まれた後にスイッチ７９を介してバッファメモリ８１に供給される。
【０１３４】
このとき、記録制御通信コントローラ８６は、入力端子８５を介して編集コントローラ６４から供給される記録再生制御信号に基いて、バッファメモリ８１に書き込みを行うための読み出し／書き込み制御信号を供給する。従って、バッファメモリ８１に供給される映像及び音声データは、順次、このバッファメモリ８１に書き込まれる。一方、記録制御通信コントローラ８６は、バッファメモリ８１に読み出しを行うための読み出し／書き込み制御信号を供給する。従って、バッファメモリ８１に順次書き込まれた映像及び音声データは、順次バッファメモリ８１から読み出され、出力端子８２を介して図２に示したバス５４に供給される。
【０１３５】
外部入力端子５３ｖ及び５３ａを介して外部からの映像及び音声データを入力する場合は次のようになる。
【０１３６】
オペレータが操作部６５を介して編集コントローラ６４に外部からの映像及び音声データの記録を行うよう指示すると、編集コントローラ６４は入力インターフェース回路５３に記録及び記録すべき映像及び音声データが外部入力か否かを示す記録再生制御信号を供給する。
【０１３７】
記録制御通信コントローラ８６は、入力端子８５を介して編集コントローラ６４から供給される記録再生制御信号に基いて、スイッチ７４にスイッチング制御信号を供給し、スイッチ７４の可動接点７４ｃを他方の固定接点７４ｂに接続させる。また、記録制御通信コントローラ８６は、入力端子８５を介して供給される記録再生制御信号に基いて、スイッチ７９の可動接点７９ｃを他方の固定接点７９ｂに接続させる。
【０１３８】
この状態において、外部からの映像データが入力端子５３ｖを介して入力インターフェース回路７１に供給され、入力インターフェース回路７１に取り込まれた後に、スイッチ７４を介して圧縮符号化処理回路８０に供給される。圧縮符号化回路８０に供給された映像データは、ここで上述したような各種圧縮処理が施された後に、タイムコード入力回路８３からのタイムコードと共にバッファメモリ８１に供給される。
【０１３９】
一方、外部からの音声データが入力端子５３ａを介して入力インターフェース回路７６に供給され、この入力インターフェース回路７６に取り込まれた後にスイッチ７９を介してバッファメモリ８１に供給される。
【０１４０】
このとき、記録制御通信コントローラ８６は、入力端子８５を介して編集コントローラ６４から供給される記録再生制御信号に基いて、バッファメモリ８１に書き込みを行うための読み出し／書き込み制御信号を供給する。従って、バッファメモリ８１に供給される映像及び音声データは、順次、このバッファメモリ８１に書き込まれる。一方、記録制御通信コントローラ８６は、バッファメモリ８１に読み出しを行うための読み出し／書き込み制御信号を供給する。従って、バッファメモリ８１に順次書き込まれた映像及び音声データは、順次バッファメモリ８１から読み出され、出力端子８２を介して図２に示したバス５４に供給される。
【０１４１】
Ｄ．図２に示した出力インターフェース回路５８及び５９の内部構成例及びその動作の説明（図４参照）
【０１４２】
図４は、図２に示した出力インターフェース回路５８及び５９の内部構成例を示す構成図である。
【０１４３】
〔接続及び構成〕
【０１４４】
入力端子９０は図２に示したバス５４に接続されており、この入力端子９０をＦＩＦＯ（ファースト・イン・ファースト・アウト）メモリ９１の入力端に接続する。このＦＩＦＯメモリ９１は、読み出し／書き込み制御回路９３からの読み出し／書き込み信号やアドレス信号によって、入力端子９０を介して供給される、素材としての圧縮映像及び音声データを記憶すると共に、記憶した圧縮映像及び音声データを順次出力する。
【０１４５】
このＦＩＦＯメモリ９１の出力端をバス９２に接続し、バス９２を圧縮復号化処理回路９４の入力端に接続し、この圧縮復号化処理回路９４の出力端を出力インターフェース回路９６の入力端に接続し、この出力インターフェース回路９６の出力端をディジタル映像データ出力用の出力端子９７に接続する。また、圧縮復号化処理回路９４及び出力インターフェース回路９６の接続点をＤ−Ａコンバータ９８の入力端に接続し、このＤ−Ａコンバータ９８の出力端をアナログ映像信号出力用の出力端９９に接続する。
【０１４６】
また、タイムコード情報抽出回路９５の入力端とバス９２を接続し、更にこのタイムコード情報抽出回路９５の出力端を、出力インターフェース回路９６の入力端及びＤ−Ａコンバータ９８の入力端に夫々接続する。このタイムコード情報抽出回路９５は、バス９２を介してＦＩＦＯメモリ９１から供給される映像及び音声データからタイムコードを抽出し、抽出したタイムコードを、再生制御通信コントローラ１０４に供給すると共に、抽出したタイムコードデータを、キャラクタデータに変換し、このキャラクタデータを、出力インターフェース回路９６及びＤ−Ａコンバータ９８に夫々供給する。
【０１４７】
また、バス９２を出力インターフェース回路１００の入力端及びＤ−Ａコンバータ１０２の入力端に夫々接続し、この出力インターフェース回路１００の出力端を出力端子１０１に接続し、Ｄ−Ａコンバータ１０２の出力端を出力端子１０３に接続する。
【０１４８】
ここで、出力インターフェース回路９６の出力端子９７と、出力インターフェース回路１００の出力端子１０１は、図２に示したスイッチ６１を介して記録器６２及びＤＭＥ／ミクサ６０に夫々選択的に接続するようにする。また、Ｄ−Ａコンバータ９８の出力端子９９を、図２に示した表示機６７の入力端に接続し、Ｄ−Ａコンバータ１０２の出力端子１０３を、図２に示したアンプ６８を介してスピーカ６９に接続する。
【０１４９】
出力インターフェース回路９６の出力端子９７と、出力インターフェース回路１００の出力端子１０１をスイッチ６１を介して記録機６２及びＤＭＥ／ミクサ６０に選択的に接続するようにしているのは、ＤＭＥ／ミクサ６０をディジタル仕様とし、記録機６２をディジタルＶＴＲとしているからである。従って、ＤＭＥ／ミクサ６０がアナログ仕様で、記録機６２がアナログＶＴＲの場合には、Ｄ−Ａコンバータ９８の出力端子９９と、Ｄ−Ａコンバータ１０２の出力端子１０３を、スイッチ６１を介して記録機６２及びＤＭＥ／ミクサ６０に選択的に接続するようにするようにしても良い。
【０１５０】
ここで、上記圧縮復号化処理回路９４は、入力される圧縮映像データに対し、ＩＤＣＴ（逆離散コサイン変換）等、入力インターフェース回路５３において圧縮処理されて形成された圧縮データを復号化する処理を行う。また、出力インターフェース回路９６及び１００は、例えば図２に示した記録機６２にディジタル映像及び音声データを供給するためのインターフェース回路であり、例えばＲＳ４２２インターフェース等を用いる。
【０１５１】
再生制御通信コントローラ１０４は、入出力端子１０５を介して、図２に示した編集コントローラ６４から供給される再生を示す記録再生制御信号に基いて、データ再生制御信号を得、このデータ再生制御信号を入出力端子１０６を介して図２に示したシステムコントローラ６３に供給する。また、この再生制御通信コントローラ１０４は、入出力端子１０５を介して、図２に示した編集コントローラ６４から供給される記録再生制御信号に基いて、読み出し／書き込み信号やアドレス信号を得、この読み出し／書き込み信号やアドレス信号を読み出し／書き込み制御回路９３に供給する。
【０１５２】
また、この再生制御通信コントローラ１０４は、タイムコード情報抽出回路９５からのタイムコードデータを、入出力端子１０６を介して図２に示したシステムコントローラ６３に供給する。
【０１５３】
〔動作〕
【０１５４】
図２に示したディスクドライブ５７にセットされているディスクから再生された映像及び音声データが、バス５４及びこの図４に示す入力端子９０を介してＦＩＦＯメモリ９１に供給されると、読み出し／書き込み制御回路９３から読み出し／書き込み信号及びアドレス信号がＦＩＦＯメモリ９１に供給され、これによって、ＦＩＦＯメモリ９１に供給される映像及び音声データが順次ＦＩＦＯメモリ９１に書き込まれる。そして、読み出し／書き込み制御回路９３から供給される読み出し／書き込み信号及びアドレス信号によって、ＦＩＦＯメモリ９１に書き込まれた映像及び音声データが順次読み出される。映像データはバス９２を介して圧縮復号化処理回路９４に供給され、音声データはバス９２を介して出力インターフェース回路１００及びＤ−Ａコンバータ１０２に夫々供給される。
【０１５５】
圧縮復号化処理回路９４に供給された映像データは、上述したように、復号化処理が施された後に出力インターフェース回路９６及びＤ−Ａコンバータ９８に夫々供給される。
【０１５６】
出力インターフェース回路９６及び１００に夫々供給された映像及び音声データは、夫々これら出力インターフェース回路９６及び１００において出力処理された後に、出力端子９７、１０１及びスイッチ６１を介して図２に示した記録機６２に供給され、記録機６２において所定の記録処理が施された後に、ビデオ・テープ・カセット５０Ｂに傾斜トラックを形成するように記録される。
【０１５７】
Ｄ−Ａコンバータ９８及び１０２に夫々供給された映像及び音声データは、夫々これらＤ−Ａコンバータ９８及び１０２においてアナログ変換処理された後に、出力端子９９及び１０３を介して出力される。Ｄ−Ａコンバータ９８から出力されたアナログ映像信号は、図２に示した操作部６５の表示器６７に供給され、その表示面上に画像として表示され、Ｄ−Ａコンバータ１０２から出力されたアナログ音声信号は、図２に示した操作部６５のアンプ６８を介してスピーカ６９に供給され、このスピーカ６９から音声として出力される。
【０１５８】
Ｅ．アドレス管理テーブルの一例の説明（図５参照）
【０１５９】
図５は、図１に示したアドレス管理テーブル２９の内容の一例を示す説明図である。
【０１６０】
この図５に示すように、本例においては、アドレス管理テーブル２９に記憶する管理情報として、素材ＩＤ、記録開始アドレス、記録データ長、素材開始タイムコード、リールＩＤを用いる。
【０１６１】
素材ＩＤは、オペレータが、操作部６５の操作パネル６６を介して、素材のカットを指定し、素材テープとしてのビデオ・テープ・カセット５０Ａや、ディスクドライブ５７にセットされているディスクからカットを行う度に、図１に示した制御部３２が自動的に生成する素材のＩＤであり、図において夫々先頭に付けられているアルファベット“Ｖ”は、映像データであることを示す。また図示せずも、先頭に付けられているアルファベットが“Ａ”の場合は、音声データであることを示し、先頭に付けられているアルファベットが“Ｓ”の場合は付加情報であることを示し、“Ｅ”の場合は特殊効果処理が施された情報であることを示す。尚、この図５の例では、付加情報と特殊効果処理が施された情報に対応する管理情報を省略している。
【０１６２】
素材ＩＤの上位桁、即ち、アルファベットの次の３桁の数値は、元の素材、即ち、ビデオ・テープ・カセット５０Ａから再生されてディスクに記録された素材、或いは入力端子５３ｖ及び５３ａを介して入力され、ディスクに記録された素材を示す値である。また、素材ＩＤの下位桁、即ち、ハイフンの次の２桁の数値は、元の素材からカットされた順番を示す値である。従って、ハイフンの次の２桁の数値が“００”の場合は、元の素材、即ち、再生素材、或いは入力素材を示し、ハイフンの次の２桁の数値が“０１”の場合は、アルファベットの次の３桁の数値が同一、且つ、ハイフンの次の２桁の数値が“００”の元の素材から最初にカットされたカット素材であることを示し、ハイフンの次の２桁の数値が“０２”の場合は、アルファベットの次の３桁の数値が同一、且つ、ハイフンの次の２桁の数値が“００”の元の素材から最初にカットされたカット素材であることを示す。
【０１６３】
つまり、素材ＩＤのハイフンの次の２桁の数値は、素材ＩＤのアルファベットの次の３桁の数値が同一、且つ、ハイフンの次の２桁が“００”の元の素材からカットされた順番に従って、“０１”、“０２”、“０３”のように、“００”に“１”ずつ加算された値となる。
【０１６４】
記録開始アドレスは、ディスクドライブ５７にセットされているディスク上のアドレス（例えばセクタ番号）である。記録データ長は、記録開始アドレスからその素材の終了するアドレスまでの記録データ長であり、この例においては、セクタ数とする（勿論、トラック番号とセクタ数としたり、バイト数としても良い）。
【０１６５】
素材開始タイムコードは、ビデオ・テープ・カセット５０Ａを再生して得られる、記録すべき素材の先頭のタイムコード、或いは図１に示したタイムコード発生部３１で発生したタイムコードであり、“Ｈ”は時間を、“Ｍ”は分を、“Ｓ”は秒を、“Ｆ”はフレームを示す。
【０１６６】
リールＩＤは、図２に示したビデオ・テープ・カセット５０Ａに記録されているリールＩＤ、或いは操作部６５の操作パネル６６を介して入力される、記録すべき素材の元のメディアを認識するためのＩＤである。
【０１６７】
Ｆ．素材に対するＩＤ付与方式の説明（図６参照）
【０１６８】
図６は素材に対するＩＤ付与方式を説明するための説明図である。
【０１６９】
図において、ＡＶ１は図２に示した素材テープとしてのビデオ・テープ・カセット５０Ａからディスクドライブ５７にセットされているディスクに記録した元の素材を示し、ＣＵＴ１、ＣＵＴ２、ＣＵＴ３は夫々ディスクに記録した元の素材ＡＶ１からカットされたカット素材を示す。つまり、本例においては、ビデオ・テープ・カセット５０Ａに記録されている映像及び音声データの内、所望の映像及び音声データを、イン点及びアウト点を指定することによって、ディスクに１つの素材として記録し、ディスクに記録した素材を元の素材ＡＶ１とし、この元の素材ＡＶ１の映像及び音声データの内、所望の映像及び音声データを上述と同様にイン点及びアウト点の指定によってカット素材として設定するようにする。
【０１７０】
元の素材ＡＶ１の先頭部分及び終わりの部分に夫々示されている数値“００００３８００”及び“００００４９９９”、カット素材ＣＵＴ１の先頭部分及び終わりの部分に夫々示されている数値“００００４０００”及び“００００４７４９”、カット素材ＣＵＴ２の先頭部分及び終わりの部分に夫々示されている数値“００００４１５０”及び“００００４４４９”、カット素材ＣＵＴ３の先頭部分及び終わりの部分に夫々示されている数値“００００４１００”及び“００００４７９９”は、夫々ディスクにおけるアドレス（セクタ番号）を示す。
【０１７１】
また、元の素材ＡＶ１に添えてある“Ｖ００５−００”、カット素材ＣＵＴ１に添えてある“Ｖ００５−０１”、カット素材ＣＵＴ２に添えてある“Ｖ００５−０２”、カット素材ＣＵＴ３に夫々添えてある“Ｖ００５−０３”は、夫々上述した素材ＩＤを示す。
【０１７２】
また、元の素材ＡＶ１の内部に示す数値“１２００”は、ディスク上のアドレス“００００３８００”から“００００４９９９”までのデータ長、即ち、セクタ数を示す。同様に、カット素材ＣＵＴ１の内部に示す数値“７５０”は、ディスク上のアドレス“００００４０００”から“００００４７４９”までのデータ長、即ち、セクタ数を示す。同様に、カット素材ＣＵＴ２の内部に示す数値“３００”は、ディスク上のアドレス“００００４１５０”から“００００４４４９”までのデータ長、即ち、セクタ数を示す。同様に、カット素材ＣＵＴ３の内部に示す数値“７００”は、ディスク上のアドレス“００００４１００”から“００００４７９９”までのデータ長、即ち、セクタ数を示す。
【０１７３】
カット素材ＣＵＴ１は、素材ＩＤのハイフンの次の２桁の数値が示す通り、元の素材ＡＶ１から最初にカットされた素材であり、カット素材ＣＵＴ２は、素材ＩＤのハイフンの次の２桁の数値が示す通り、元の素材ＡＶ１から２番目にカットされた素材であり、カット素材ＣＵＴ３は、素材ＩＤのハイフンの次の２桁の数値が示す通り、元の素材ＡＶ１から３番目にカットされた素材である。
【０１７４】
以上の説明から分かるように、カット素材ＣＵＴ１は、ディスクに記録されている元の素材ＡＶ１の内、ディスクのアドレス“００００４０００”から“００００４７４９”までの映像及び音声データであり、カット素材ＣＵＴ２は、ディスクに記録されている元の素材ＡＶ１の内、ディスクのアドレス“００００４１５０”から“００００４４４９”までの映像及び音声データであり、カット素材ＣＵＴ３は、ディスクに記録されている元の素材ＡＶ１の内、ディスクのアドレス“００００４１００”から“００００４７９９”までの映像及び音声データである。
【０１７５】
Ｇ．アドレス管理テーブルへの管理情報記憶動作の説明（図７参照）
【０１７６】
図７はディスクに素材を記録するときのアドレス管理テーブル２９への管理情報の記録動作を説明するためのフローチャートであり、このフローチャートの各ステップでの処理は、図１に示したシステムコントローラ６３によって行われる。
【０１７７】
この図７のフローチャートで示す処理は、図２に示した再生機５１からの再生映像及び音声データ、入力端子５３ｖ及び５３ａを介して供給される外部からの映像及び音声データ、ＤＭＥ／ミクサ６０からの処理済み映像及び音声データをディスクドライブ５７にセットされているディスクに記録する場合に行う処理である。素材をディスクに記録するためのイン点及びアウト点の指定や、この指定によって編集コントローラ６３が行う制御動作については、既に説明しているので、ここでは、図１に示したシステムコントローラ６３による、アドレス管理テーブルへの管理情報記憶動作についてのみ説明する。
【０１７８】
ディスクへの素材の記録のために、図１に示した入出力端子３３を介して、図２に示した編集コントローラ６４からの記録再生制御信号が、制御部３２に供給され、また、入力インターフェース回路５３からのタイムコードデータまたはタイムコードが抽出できたか否かを示すフラグ、並びにリールＩＤが、入出力端子３４を介して制御部３２に供給される。
【０１７９】
先ず、ステップＳ１では、アドレス管理テーブルから記録媒体のアドレス領域の内、最も小さいアドレスを探し、記録を開始する。そしてステップＳ２に移行する。このステップＳ１においては、図１に示したアドレスサーチ部２０が、メモリ部２７のアドレス管理テーブル２９を参照することで、ディスクドライブ５７にセットされているディスク上の空き領域の内、最も小さい値のアドレスを検出する。素材としての映像及び音声データを、ディスクの先頭セクタから順次記録する場合においては、アドレス管理テーブル２９に記憶されている管理情報の、記録開始アドレスの最も大きい値のアドレスの値に、“１”を加算したアドレスとなる。
【０１８０】
そして、そのアドレスサーチ部２０は、処理によって得たアドレスデータを制御部３２に供給する。一方、データ長判別部２４は、メモリ２８に記憶されているディスクに記録すべき素材のイン点とアウト点のタイムコードデータからセクタ数を示す記録データ長データを得、これを制御部３２に供給する。制御部３２は、アドレスサーチ部２０から供給されるアドレスデータを、入出力端子３８を介してディスクコントローラ５６に供給する。これによってディスクコントローラ５６は、システムコントローラ６３から供給されたアドレスに基いてディスクドライブ５７を制御し、ディスクドライブ５７のヘッドを、ディスク上の対応アドレスの位置にシークさせ、この後、ディスクドライブ５７を記録状態にする。尚、ディスクへの記録の終了は、アドレスデータと、記録データ長データを加算して得られた最終アドレスデータの書き込みが終了したか否かを判断することによって行う。
【０１８１】
ステップＳ２では、使用されていない最小のＩＤをアドレス管理テーブルに記憶する。そしてステップＳ３に移行する。このステップＳ２においては、図１に示したシステムコントローラ６３の素材ＩＤサーチ部２１が、メモリ部２７のアドレス管理テーブル２９に記憶されている管理情報を参照し、使用されていない素材ＩＤデータの内、最も値の小さい素材ＩＤデータを検出し、その素材ＩＤデータを制御部３２に供給する。これによって、制御部３２は、素材ＩＤサーチ部２１から供給される、未使用の素材ＩＤデータの内、最も値の小さい素材ＩＤデータをメモリ部２７のアドレス管理テーブル２９に記憶する。
【０１８２】
ステップＳ３では、記録媒体はテープか否かを判断し、「ＹＥＳ」であればステップＳ４に移行し、「ＮＯ」であればステップＳ５に移行する。このステップＳ３においては、図１に示した素材判別部２２が、入出力端子３３を介して図２に示した編集コントローラ６４から供給される、ディスクに記録する素材が、再生機５１から供給される素材か、或いは入力端子５３ｖ及び５３ａを介して外部から供給される素材か否かを示す記録再生制御信号によって、元の素材がテープか否かを判断し、その判断結果を制御部３２に通知する。
【０１８３】
ステップＳ４では、素材テープに記録されているリールＩＤデータを、アドレス管理テーブルに記憶する。そしてステップＳ６に移行する。このステップＳ４においては、図１に示したリールＩＤ判別部２５が、入出力端子３４を介して図２に示した入力インターフェース回路５３から供給されるリールＩＤを判別、取得し、このリールＩＤを制御部３２に供給する。制御部３２は、リールＩＤ判別部２５から供給されるリールＩＤデータを、メモリ部２７のアドレス管理テーブル２９に記憶する。
【０１８４】
ステップＳ５では、入力リールＩＤを記憶する。そしてステップＳ８に移行する。このステップＳ５においては、図２に示した操作部６５の操作パネル６６を介してオペレータによって入力されたリールＩＤを、図１に示したシステムコントローラ６３のメモリ部２７のアドレス管理テーブル２９に記憶する。
【０１８５】
ステップＳ６では、タイムコードが記録済みか否かを判断し、「ＹＥＳ」であればステップＳ７に移行し、「ＮＯ」であればステップＳ８に移行する。つまり、このステップＳ６においては、図１に示したタイムコード判別部２３が、入出力端子３４を介して図２に示した入力インターフェース回路５３から供給されるタイムコードが抽出できたか否かを示すフラグによってデータ中にタイムコードが存在するか否かを判断する。
【０１８６】
ステップＳ７では、素材に記録されているタイムコードで記録媒体に記録を開始したフレームのタイムコードデータをアドレス管理テーブル２９に記憶する。そしてステップＳ９に移行する。このステップＳ７では、図１に示したタイムコード判別部２３が、入出力端子３４を介して入力インターフェース回路５３から供給されるタイムコードデータと、制御部３２によって、メモリ部２７のメモリ２８に記憶された素材のイン点のタイムコードデータとが一致したときに、そのタイムコードデータが記録を開始したフレームのタイムコードデータと認識する。そして、このステップＳ７においては、タイムコード判別部２３の指示によって、制御部３２がメモリ部２７のメモリ２８から素材のイン点のタイムコードデータを読み出し、読み出した素材のイン点のタイムコードデータを、素材開始タイムコードデータとしてメモリ部２７のアドレス管理テーブル２９に記憶する。
【０１８７】
ステップＳ８では、タイムコード発生部３１で発生するタイムコードを素材と共に記録し、記録媒体に記録開始フレームのタイムコードを記憶する。そしてステップＳ９に移行する。このステップＳ８では、図１に示したタイムコード発生部３１が発生したタイムコードデータを、入出力端子３８を介して図２に示したディスクコントローラ５６に供給することにより、入力インターフェース回路５３からバス５４を介して供給される素材としての映像及び音声データをタイムコードデータと共に、ディスクドライブ５７にセットされているディスクに記録する。
【０１８８】
ステップＳ９では、記録を開始したアドレスを示すアドレスデータと、記録したデータ長を示すデータ長データをアドレス管理テーブルに記憶する。そして終了する。このステップＳ９では、図１に示した制御部３２が、ステップＳ１における処理で得た記録開始アドレス（セクタ番号）データと、記録したデータ長（セクタ数）データをメモリ部２７のアドレス管理テーブル２９に記憶する。これによって、ディスクに素材が記録されると共に、ディスクに記録された素材に対応する管理情報が登録される。
【０１８９】
Ｈ．記録媒体から素材を再生する場合の動作の説明（図８参照）
【０１９０】
図８は記録媒体から素材を再生する場合の動作を説明するためのフローチャートである。
【０１９１】
ステップＳ１０では、再生する素材ＩＤを指定する。そしてステップＳ１１に移行する。このステップＳ１０では、オペレータが、図２に示した操作部６５の操作パネル６６を介して素材ＩＤを入力した場合、入力された素材ＩＤデータは、編集コントローラ６４及び図２に示す入出力端子３３を介してシステムコントローラ６３の制御部３２に供給される。制御部３２は、入出力端子３３を介して供給される素材ＩＤデータを、メモリ部２７のメモリ２８に記憶する。
【０１９２】
ステップＳ１１では、システムコントローラ６３は指定された素材ＩＤの記録開始アドレスをアドレス管理テーブル２９から読み出す。そしてステップＳ１２に移行する。このステップＳ１１では、制御部３２が、メモリ部２７のメモリ２８に記憶している素材ＩＤデータと一致する、アドレス管理テーブル２９に記憶されている管理情報の内の素材ＩＤデータを探し、その素材ＩＤデータと共に記憶されている記録開始アドレスデータを読み出す。
【０１９３】
ステップＳ１２では、記録開始アドレスを先頭にして、記録媒体からデータを読み出す。そしてステップＳ１３に移行する。このステップＳ１２では、制御部３２がステップＳ１１においてアドレス管理テーブル２９から読み出した記録開始アドレスデータ（セクタ番号）を、入出力端子３８を介してディスクコントローラ５６に供給する。ディスクコントローラ５６に記録開始アドレスデータが供給されると、ディスクコントローラ５６は、ディスクドライブ５７を制御して、ディスクドライブ５７のヘッドをディスク上の指定セクタ番号の位置にシークさせ、この後、その指定セクタ番号の位置から順次記録データの再生を開始させる。ディスクドライブ５７のディスクから再生された映像及び音声データは、ディスクコントローラ５６、バス５４を介して出力インターフェース回路５８に供給される。
【０１９４】
ステップＳ１３では、アドレス管理テーブル２９から記録データ長データを読み出し、記録開始アドレスデータに加え、その値をＬとする。そしてステップＳ１４に移行する。このステップＳ１３では、図１に示した制御部３２が、メモリ部２７のアドレス管理テーブル２９から記録開始アドレスデータ及び記録データ長データを読み出し、読み出した記録開始アドレスデータ及び記録データ長データを、演算部３０に供給する。これによって、演算部３０は、制御部３２から供給される記録開始アドレスデータと記録データ長データを加算し、その加算結果をＬとする。
【０１９５】
ステップＳ１４では、記録媒体のアドレスＬを読み出したか否かを判断し、「ＹＥＳ」であればステップＳ１５に移行する。このステップＳ１４では、図１に示した演算部３０が、入出力端子３８を介して供給されるディスクコントローラ５６から供給される再生用のパルス等に基いて現在読み出しを行っているアドレスが示す値がＬとなり、且つ、この値Ｌのアドレスに対応するディスクのエリアの読み出しを終了したか否か判断する。
【０１９６】
ステップＳ１５では、データの読み出しを停止する。そして終了する。このステップＳ１５では、図１に示した演算部３０が、ステップＳ１４において値Ｌと同じ値のディスク上のアドレスに対応するエリアからのデータの読み出しを終了したと判断した場合に、図１に示した制御部３２に、指定された素材の読み出しを完了したことを示すデータを供給する。これによって、制御部３２は、入出力端子３８を介して、図２に示したディスクコントローラ５６にデータの読み出しを停止する旨の制御信号を供給し、ディスクコントローラ５６によるディスクからのデータの読み出し処理を停止させる。
【０１９７】
Ｉ．記録済みの素材をカットし、異なる素材ＩＤを有する素材として記録する場合の動作の説明（図９参照）
【０１９８】
図９は、図２に示したディスクドライブ５７にセットされているディスク上に記録された素材をカットし、異なる素材ＩＤを有する別の素材として改めて登録する場合の動作を説明するためのフローチャートである。
【０１９９】
ステップＳ２０では、カットする素材ＩＤの指定を受け付ける。そしてステップＳ２１に移行する。このステップＳ２０では、オペレータが図２に示した操作部６５の操作パネル６６を介して入力した素材ＩＤデータが、編集コントローラ６４及び図２に示した入出力端子３３を介して制御部３２に供給され、制御部３２は、編集コントローラ６４を介して供給される素材ＩＤデータを素材ＩＤサーチ部２１に供給する。
【０２００】
ステップＳ２１では、指定素材ＩＤの上位桁と一致する素材ＩＤが有るか否かを判断し、「ＹＥＳ」であればステップＳ２２に移行し、「ＮＯ」であればステップＳ２３に移行する。このステップＳ２１では、図１に示した素材ＩＤサーチ部２１が、ステップＳ２０において制御部３２から供給された素材ＩＤデータの上位桁の値が、メモリ部２７のアドレス管理テーブル２９に記憶されている素材ＩＤデータの上位桁の値と一致するか否かを検出する。
【０２０１】
ステップＳ２３では、表示を行う。そして終了する。このステップＳ２３では、ステップＳ２１において、素材ＩＤサーチ部２１が、入力された素材ＩＤデータの上位桁の値とその上位桁の値が一致する素材ＩＤデータがないと判断した場合には、制御部３２にその旨を通知する。制御部３２は、素材ＩＤサーチ部２１から、入力された素材ＩＤデータの上位桁の値とその上位桁の値が一致する素材ＩＤデータがないとの通知が行われた場合、例えばエラーメッセージを出力するためのデータを入出力端子３３を介して編集コントローラ６４に供給する。編集コントローラ６４は、システムコントローラ６３からのエラーメッセージを出力するためのデータが供給されると、そのデータに基いて、ＲＯＭ６４ｃからエラーメッセージデータを読み出し、読み出したエラーメッセージデータをキャラクタデータに変換した後に、操作部６５の表示器６７に供給する。
【０２０２】
従って、入力した素材ＩＤデータの上位桁にその上位桁が一致する素材ＩＤデータがアドレス管理テーブル２９に存在しない場合には、例えば表示器６７の表示面上に、「指定された素材が見つかりません」等のメッセージが画像として出力される。
【０２０３】
ステップＳ２２では、最も大きい下位桁の素材ＩＤを探してその素材ＩＤの下位桁に“１”を加え、新規にアドレス管理テーブル２９に記憶する。そしてステップＳ２４に移行する。このステップＳ２２では、図１に示した素材ＩＤサーチ部２１が、ステップＳ２１において、入力された素材ＩＤデータの上位桁と、その上位桁が同じ素材ＩＤデータの内、最も下位桁の大きい素材ＩＤデータを検出し、その素材ＩＤデータを制御部３２に通知する。制御部３２は、素材ＩＤサーチ部２１から通知を受けた素材ＩＤデータをアドレス管理テーブル２９から読み出し、読み出した素材ＩＤデータを演算部３０に供給する。演算部３０は、アドレス管理テーブル２９から読み出されて供給される素材ＩＤデータに“１”を加算して新たな素材ＩＤデータを得、この新たな素材ＩＤデータを制御部３２に供給する。制御部３２は、演算部３０から供給される新たな素材ＩＤデータをメモリ部２７のアドレス管理テーブル２９に記憶する。
【０２０４】
ステップＳ２４では、修正された記録開始アドレスデータと記録データ長データをアドレス管理テーブル２９に記憶する。そしてステップＳ２５に移行する。オペレータが図２に示した操作部６５の操作パネル６６を介して、ディスクドライブ５７にセットされているディスクに記録されている素材の内、指定した素材を再生するよう編集コントローラ６４に指示すると、編集コントローラ６４は、入出力端子３３を介してシステムコントローラ６３に再生制御信号を供給する。
【０２０５】
システムコントローラ６３の制御部３２は、入出力端子３３を介して編集コントローラ６４からのディスクの再生を示す記録再生制御信号が供給されると、入出力端子３８を介してディスクコントローラ５６にディスクの再生を示すコマンドを発行する。ディスクコントローラ５６は、ディスクドライブ５７を制御し、ディスクドライブ５７にセットされているディスク上の記録データを再生する。ディスクから再生されたデータは、ディスクコントローラ５６、バス５４及び入出力端子３８を夫々介してシステムコントローラ６３の制御部３２に供給され、更に入出力端子３３を介して編集コントローラ６４に供給され、この編集コントローラ６４により、操作部６５の表示器６７の表示面上に画像として表示される。
【０２０６】
また、ディスクから再生された映像及び音声データは、ディスクコントローラ５６及びバス５４を介して出力インターフェース回路５８に供給され、この出力インターフェース回路５８のタイムコード情報抽出回路９５においてタイムコード情報が抽出される。ここで抽出されたタイムコードは、編集コントローラ６４及びシステムコントローラ６３に夫々供給される。
【０２０７】
この後、オペレータが操作パネル６６を介してイン点及びアウト点を指定すると、編集コントローラ６４は、入出力端子３３を介してシステムコントローラ６３にイン点及びアウト点のタイムコードデータを供給する。システムコントローラ６３のデータ長判別部２４は、入出力端子３３を介して編集コントローラ６４から供給されるイン点及びアウト点のタイムコードから、データ長を判別し、判別した記録データ長データを制御部３２に供給する。
【０２０８】
制御部３２は、入出力端子３３を介して編集コントローラ６４から供給されるイン点のタイムコード及び現在再生している素材の管理情報中の記録開始アドレスデータから記録開始アドレスを得ると共に、この記録開始アドレスデータと、データ長判別部２４から供給される記録データ長データとを、アドレス管理テーブル２９に記憶する。
【０２０９】
ステップＳ２５では、ディスク上の記録開始アドレスのフレーム付加情報領域に記録されたタイムコードをアドレス管理テーブル２９の素材開始タイムコードの記憶領域に記憶する。そして終了する。このステップＳ２５では、システムコントローラ６３の制御部３２が、出力インタフェース回路５８からのタイムコードの内、イン点として指定されたタイムコードデータを、アドレス管理テーブル２９に記憶する。
【０２１０】
以上説明した一連の動作を、図５に示したサンプルを例にとり説明する。例えば図５に示した素材ＩＤ“Ｖ００３−００”がオペレータによって指定され、再生されたときに、オペレータによってイン点（“０１Ｈ１０Ｍ０３Ｓ１０Ｆ”とする）及びアウト点が指定されると、図９に示したステップＳ２２において、素材ＩＤ“Ｖ００３−００”の下位桁“００”に“１”が加えられて“Ｖ００３−０１”となり、この新たな素材ＩＤデータが、元の素材ＩＤデータとは別に記憶される。
【０２１１】
そして、ステップＳ２４において、イン点のタイムコードデータから新たな記録開始アドレスデータ（“００００１０００”とする）が得られ、この記録開始アドレスデータと、イン点及びアウト点のタイムコードデータから得られた記録データ長データ（“００００１５００”とする）が夫々アドレス管理テーブル２９に記憶される。そして、ステップＳ２５において、イン点のタイムコードデータが新たな素材開始タイムコード（“０１Ｈ１０Ｍ０３Ｓ１０Ｆ”とする）としてがアドレス管理テーブル２９に記憶される。
【０２１２】
つまり、素材ＩＤ“Ｖ００３−００”と同じ素材データを、再生機５１或いはディスクから再生し、その再生データの内の必要なデータを再度ディスクに記録するのではなく、ディスクに記録されている素材ＩＤ“Ｖ００３−００”の素材データの所望の部分を、記録開始アドレスデータ、記録データ長データ及び素材開始タイムコードデータで指定すると共に、これらのデータを、新たな素材ＩＤ“Ｖ００３−０１”としてアドレス管理テーブル２９に保持するのである。つまり、このように元の素材に対してその範囲を指定するデータを複数保持することで、元の素材データそのものを複数回ディスクに記録しなくても済むようにできると共に、１つの素材から多数の素材をカットした場合に、新たに生成された素材カットの管理を非常に簡単に行うことができるのである。
【０２１３】
Ｊ．映像特殊効果、音声効果処理を施して、新たな素材ＩＤを付与して記録する場合の動作の説明（図１０参照）
【０２１４】
図１０は、映像特殊効果、音声効果処理を施して、その効果部分だけに新たな素材ＩＤを付与してディスクに記録する場合の動作を説明するためのフローチャートである。以下の説明においては、いわゆるＡＢロール編集を行う場合で説明する。以下の例においては、出力インターフェース回路５８をＡロール用、出力インターフェース回路５９をＢロール用とし、出力インターフェース回路５８から出力され、スイッチ６１を介してＤＭＥ／ミクサ６０に供給されたＡロールとしての映像及び音声データと、出力インターフェース回路５９から出力されてＤＭＥ／ミクサ６０に供給されたＢロールとしての映像及び音声データが、このＤＭＥ／ミクサ６０において、ミックスやワイプ等の映像処理、並びに、イコライジングやエフェクト処理などの音声処理が施された後に、スイッチ５２を介して入力インターフェース回路５３に供給され、この後バス５４及びディスクコントローラ５６を介してディスクドライブ５７に供給され、このディスクドライブ５７にセットされているディスク上に記録される場合について説明する。
【０２１５】
尚、図４を参照して説明したように、出力インターフェース回路５８及び５９は夫々ＦＩＦＯメモリ９１を有しているので、Ａロールとしての映像及び音声データと、Ｂロールとしての映像及び音声データの重なり合う部分、即ち、映像及び音声処理期間は、操作部６５の操作パネル６６を介してオペレータが行う指示で決定することができる。つまり、編集コントローラ６４がオペレータの指示に基いて、図４に示した再生制御通信コントローラを介して読み出し／書き込み制御回路９３に対してバッファリング制御を施すことにより、ディスクドライブ５７にセットされているディスクから再生されＦＩＦＯメモリ９１に記憶されたＡロールとしての映像及び音声データの読み出しタイミングと、ディスクドライブ５７にセットされているディスクから再生されＦＩＦＯメモリ９１に記憶されたＢロールとしての映像及び音声データの読み出しタイミングを可変して、Ａロールとしての映像及び音声データと、Ｂロールとしての映像及び音声データとの映像及び音声処理期間を決定する。
【０２１６】
図１０において、Ｖｄは映像データ、Ａｄは音声データを示し、映像データＶｄ及び音声データＡｄには、夫々例として素材ＩＤを添えてある。また、映像データＶｄ及び音声データＡｄの内、斜線の施してある領域は、夫々上述したＡロールとＢロールとの重なる部分、即ち、映像及び音声処理期間である。
【０２１７】
本例においては、ＡロールとＢロールの重なり合う映像及び音声処理部分を、新たな素材として、ディスクドライブ５７にセットされているディスクに記録すると共に、その素材の管理情報をを新たに生成し、生成した新たな管理情報をアドレス管理テーブル２９に記憶するようにする。
【０２１８】
この図１０の例においては、Ａロールとしての素材ＩＤ“Ｖ０２５−０１”の映像データと、Ｂロールとしての素材ＩＤ“Ｖ０２６−０２”の映像データの映像特殊効果処理期間を新たな素材とし、この素材を素材ＩＤ“Ｖ０４８−００”としてアドレス管理テーブル２９に登録し、Ａロールとしての素材ＩＤ“Ｖ０２８−０１”の映像データと、Ｂロールとしての素材ＩＤ“Ｖ０３３−０３”の映像データの映像特殊効果処理期間を新たな素材とし、この素材を素材ＩＤ“Ｖ０４９−００”としてアドレス管理テーブル２９に登録し、Ａロールとしての素材ＩＤ“Ｖ０３３−０５”の映像データと、Ｂロールとしての素材ＩＤ“Ｖ０３４−０２”の映像データの映像特殊効果処理期間を新たな素材とし、この素材を素材ＩＤ“Ｖ０５０−０３”としてアドレス管理テーブル２９に登録し、Ａロールとしての素材ＩＤ“Ａ０２６−０１”の音声データと、Ｂロールとしての素材ＩＤ“Ａ０６０−０２”の音声データの音声処理期間を新たな素材とし、この素材を素材ＩＤ“Ａ０４８−００”としてアドレス管理テーブル２９に登録し、Ａロールとしての素材ＩＤ“Ａ０６０−０２”の音声データと、Ｂロールとしての素材ＩＤ“Ａ０３４−０１”の音声データの音声処理期間を新たな素材とし、この素材を素材ＩＤ“１Ａ０７２−００”としてアドレス管理テーブル２９に登録している。
【０２１９】
次に、図１０に示す映像データＶｄの一部を拡大した映像データＶｄ１を例にとり、Ａロールとしての映像データと、Ｂロールとしての映像データに対しＤＭＥ／ミクサ６０で特殊効果処理期間において特殊効果処理を施し、特殊効果処理期間対応部分の映像データを、ディスクドライブ５７にセットされているディスクに記録すると共に、この映像データに新たな素材ＩＤを与えてアドレス管理テーブル２９に登録する場合の動作について説明する。
【０２２０】
ＡＢロール編集を行う場合には、先ず、オペレータが操作部６５の操作パネル６６を介してＡロールとしての素材の素材ＩＤ“Ｖ０２５−０１”を入力し、次にＢロールとしての素材の素材ＩＤ“Ｖ０２６−０２”を入力する必要がある。２つの素材ＩＤ“Ｖ０２５−０１”及び“Ｖ０２６−０２”をオペレータが入力すると、編集コントローラ６４及びシステムコントローラ６３は、Ａロールとしての素材を再生するモードとなり、このときに、オペレータがイン点指定キー等を入力することによって、Ａロールとしての素材と、Ｂロールとしての素材の特殊効果及び音声処理期間が決定する。つまり、Ａロールとしての素材を再生しているときに、オペレータがイン点指定キーを押圧することによって、システムコントローラ６３及び編集コントローラ６４は、イン点指定キーが押圧された時点から、Ａロールとしての素材の終わりの時点までの期間を特殊効果期間と認識し、出力インターフェース回路５８及び５９におけるデータ入出力タイミング等を制御する。以下の説明では、以上の処理の順序で説明する。
【０２２１】
オペレータが操作部６５の操作パネル６６を介して、ディスクドライブ５７にセットされているディスクに記録されている素材の内の、所望の素材の素材ＩＤ“Ｖ０２５−０１”及び“Ｖ０２６−０２”を２つ入力すると、編集コントローラ６４は、システムコントローラ６３にそれら２つの素材ＩＤデータを通知する。ここで、オペレータによって最初に指定された素材ＩＤ“Ｖ０２５−０１”で登録されている素材をＡロールとし、次にオペレータに指定された素材ＩＤ“Ｖ０２６−０２”で登録されている素材をＢロールとする。
【０２２２】
編集コントローラ６４は、操作部６５から２つの素材ＩＤデータが供給されると、ＡＢロール編集であることを認識し、システムコントローラ６３に２つの素材ＩＤデータを供給する。システムコントローラ６３の制御部３２は、入出力端子３３を介して編集コントローラ６４から供給される２つの素材ＩＤデータをメモリ部２７のメモリ２８に記憶する。
【０２２３】
次に、メモリ部２７のアドレス管理テーブル２９から、Ａロールとしての素材の素材ＩＤ“Ｖ０２５−０１”と同じ素材ＩＤ“Ｖ０２５−０１”の記録開始アドレスデータを読み出し、読み出した記録開始アドレスデータを、入出力端子３８を介してディスクコントローラ５６に供給する。一方、システムコントローラ６３の制御部３２は、入出力端子３７を介してバスコントローラ５５にバス制御信号を供給すると共に、出力端子４０を介してスイッチ６１にスイッチング制御信号を供給する。
【０２２４】
ディスクコントローラ５６は、システムコントローラ６３から供給される記録開始アドレスデータに基いてディスクドライブ５７を制御し、ディスクドライブ５７にセットされているディスクからＡロールとしての映像データを再生させる。ディスクドライブ５７にセットされているディスクから再生された映像データは、ディスクコントローラ５６及びバス５４を介して出力インターフェース回路５８に供給される。
【０２２５】
出力インターフェース回路５８に供給されたＡロールとしての映像データは、入力端子９０を介してＦＩＦＯメモリ９１に供給される。一方、再生制御通信コントローラ１０４は、入出力端子１０５を介して編集コントローラ６４から供給される再生制御信号に基いて読み出し／書き込み制御回路９３にバッファリング制御信号を供給する。読み出し／書き込み制御回路９３は、再生制御通信コントローラ１０４から供給されるバッファリング制御信号に基いてＦＩＦＯメモリ９１に読み出し／書き込み信号とアドレス信号を供給する。
【０２２６】
これによって、ＦＩＦＯメモリ９１に供給されるＡロールとしての映像データが、ＦＩＦＯメモリ９１に順次書き込まれ、この後、順次読み出される。読み出された映像データは、操作部６５の表示器６７に供給され、この表示器６７の表示面上に画像として表示される。
【０２２７】
一方、出力インターフェース回路５８のタイムコード情報抽出回路９５は、ＦＩＦＯメモリ９１から出力され、バス９２を介して供給される映像データからタイムコードデータを抽出し、抽出したタイムコードデータを再生制御通信コントローラ１０４に供給する。再生制御通信コントローラ１０４は、タイムコード情報抽出回路９５から供給されるタイムコードデータを、入出力端子１０５を介して編集コントローラ６４に供給する。編集コントローラ６４は、出力インターフェース回路５８から供給されるタイムコードデータをキャラクタデータに変換し、このキャラクタデータを操作部６５の表示器６７に供給する。操作部６５の表示器６７に供給されたキャラクタデータは、表示器６７の表示面上において画像として表示される。
【０２２８】
従って、操作部６５の表示器６７の表示面上には、Ａロールとしての映像データ及びタイムコードデータが夫々画像として表示され、オペレータは、この状態において、どの時点から特殊効果処理を施すかを判断し、特殊効果処理を行うための操作を行う。
【０２２９】
この操作としては、特殊効果処理を行う時点にイン点指定キーを押圧することによって、特殊効果処理期間を決定し、実際に特殊効果処理を行うときに、設定された特殊効果処理期間内だけミックス／ワイプ用のレバー等の操作を有効にする第１の操作方法と、特殊効果処理を行う時点にミックス／ワイプ用のレバー等が操作された場合に、編集コントローラ６４が、特殊効果処理期間の先頭及び終わり部分のタイムコードと、そのときの操作に応じた特殊効果処理データを記憶しておき、実際に処理を行うときに、編集コントローラ６４がＤＭＥ／ミクサ６０を制御する第２の操作方法が採用可能である。以下の説明では、第２の操作方法を採用した場合について説明する。
【０２３０】
オペレータが所望の時点にミックス／ワイプ用のレバーやフェーダースイッチ等を操作すると、編集コントローラ６４は、その操作開始時点のタイムコードを、処理開始時点のタイムコードとし、更に、Ａロールとしての映像データの終わりのタイムコードを処理終了時点のタイムコードとし、これら２つのタイムコードをＲＡＭ６４ｄに記憶すると共に、そのときの操作データをＲＡＭ６４ｄに記憶する。
【０２３１】
編集コントローラ６４は、ＲＡＭ６４ｄに、処理開始及び終了時点のタイムコードと操作データを記憶した後に、システムコントローラ６３の制御部３２に、Ａロールとしての映像データを再生することを示す記録再生制御信号を供給する。システムコントローラ６３の制御部３２は、編集コントローラ６４から記録再生制御信号が供給されると、Ａロールとしての素材の記録開始アドレスデータを、入出力端子３８を介してディスクコントローラ５６に供給する。また、システムコントローラ６３の制御部３２は、出力端子３９を介してスイッチ５２にスイッチング制御信号を供給し、スイッチ５２の可動接点５２ｃを一方の固定接点５２ａに接続させると共に、出力端子４０を介してスイッチ６１にスイッチング制御信号を供給し、スイッチ６１の可動接点６１ｃを一方の固定接点６１ａに接続させる。
【０２３２】
ディスクコントローラ５６は、システムコントローラ６３からの記録開始アドレスデータに基いてディスクドライブ５７を制御する。そして、これによって、上述と同様に、ディスクドライブ５７にセットされたディスクから再生されたＡロールとしての映像データが、ディスクコントローラ５６及びバス５４を介して出力インターフェース回路５８に供給される。
【０２３３】
一方、編集コントローラ６４は、出力インターフェース回路５８に対して再生制御信号を供給する。出力インターフェース回路５８は、この再生制御信号に基いて、読み出し／書き込み制御回路９３に、読み出し／書き込み信号及びアドレス信号を供給する。これによって、入力端子９０を介して出力インターフェース回路５８のＦＩＦＯメモリ９１に供給される映像データは、順次、このＦＩＦＯメモリ９１に書き込まれ、この後、順次このＦＩＦＯメモリ９１から読み出される。
【０２３４】
ＦＩＦＯメモリ９１から読み出された映像データは、バス９２を介して圧縮復号化処理回路９４、タイムコード情報抽出回路９５及び再生制御通信コントローラ１０４に夫々供給され、出力インターフェース回路１００及びＤ−Ａコンバータ１０２に夫々供給される。
【０２３５】
タイムコード情報抽出回路９１で映像データから抽出されたタイムコードは、再生制御通信コントローラ１０４及び入出力端子１０５を介して編集コントローラ６４に供給される。編集コントローラ１０４は、出力インターフェース回路５８から供給されるタイムコードデータと、ＲＡＭ６４ｄに記憶してある処理開始時点のタイムコードデータを比較する。編集コントローラ６４が２つのタイムコードデータを比較するのは、これら２つのタイムコードデータが一致したときに、ＲＡＭ６４ｄに記憶してある操作データを読み出し、読み出した操作データをＤＭＥ／ミクサ６０に供給し、ＤＭＥ／ミクサ６０において処理を自動的に行わせるためである。
【０２３６】
さて、出力インターフェース回路５８の圧縮復号化処理回路９４に供給された映像データは、この圧縮復号化処理回路９４において圧縮復号化処理されて元の映像データに復号化された後に、出力インターフェース回路９６及びＤ−Ａコンバータ９８に夫々供給される。出力インターフェース回路９６で処理された映像データは、出力端子９７及びスイッチ６１を介してＤＭＥ／ミクサ６０に供給される。
【０２３７】
Ａロールとしての素材の最終アドレスのデータの再生を終了したことを認識すると、システムコントローラ６３の制御部３２は、メモリ２８に記憶しているＢロールとしての素材の素材ＩＤデータを読み出し、この素材ＩＤ“Ｖ０２６−０２”と同じ素材ＩＤ、即ち、メモリ部２７のアドレス管理テーブル２９のＢロールとしての素材ＩＤ“Ｖ０２６−０２”の記録開始アドレスデータを読み出し、読み出した記録開始アドレスデータを、入出力端子３８を介してディスクコントローラ５６に供給する。また、システムコントローラ６３の制御部３２は、入出力端子３７を介してバスコントローラ５５にバス制御信号を供給する。
【０２３８】
ディスクコントローラ５６は、システムコントローラ６３から供給される記録開始アドレスデータに基いてディスクドライブ５７を制御し、ディスクドライブ５７にセットされているディスクからＢロールとしての映像データを再生する。ディスクドライブ５７にセットされているディスクから再生されたＢロールとしての映像データは、ディスクコントローラ５６及びバス５４を介して出力インターフェース回路５９に供給される。出力インターフェース回路５９に供給された映像データは、この出力インターフェース回路５９の入力端子９０を介してＦＩＦＯメモリ９１に供給される。
【０２３９】
一方、編集コントローラ６４は、出力インターフェース回路５９に対して再生制御信号を供給する。出力インターフェース回路５９は、この再生制御信号に基いて、読み出し／書き込み制御回路９３に読み出し／書き込み信号及びアドレス信号を供給する。これによって、入力端子９０を介して出力インターフェース回路５９のＦＩＦＯメモリ９１に供給される映像データは、順次、このＦＩＦＯメモリ９１に書き込まれ、この後、順次このＦＩＦＯメモリ９１から読み出される。
【０２４０】
編集コントローラ１０４は、出力インターフェース回路５８から供給されるタイムコードと、メモリ６４ｄに記憶してある処理開始時点のタイムコードを比較しながら、出力インターフェース回路５８及び５９に対して再生制御信号を供給し、出力インターフェース回路５８及び５９に夫々供給されているＡロールとしての映像データと、Ｂロールとしての映像データの出力タイミングを制御する。そして、上記２つのタイムコードが一致したときに、ＲＡＭ６４ｄに記憶してある操作データを読み出し、読み出した操作データをＤＭＥ／ミクサ６０に供給する。そしてこれと同時に、ＦＩＦＯメモリ９１に記憶したＢロールとしての映像データの読み出しを開始する。
【０２４１】
ＦＩＦＯメモリ９１から読み出されたＢロールとしての映像データは、圧縮復号化処理回路９４に供給されてここで圧縮復号化処理が施された後に、出力インターフェース回路９６及びＤ−Ａコンバータ９８に夫々供給される。出力インターフェース回路９６で処理された映像データは、出力端子９７及びスイッチ６１を介してＤＭＥ／ミクサ６０に供給される。
【０２４２】
従って、ＤＭＥ／ミクサ６０においては、最初にＡロールとしての映像データが供給され、その途中（処理開始時点）からＢロールとしての映像データが供給され、Ｂロールとしての映像データが供給された時点からＡロールとしての映像データの終わりの時点までの間は、編集コントローラ６４からの操作データが供給され、これによって、処理期間中においては、Ａロールとしての映像データとＢロールとしての映像データに特殊効果処理及び音声処理が施される。
【０２４３】
ＤＭＥ／ミクサ６０から１系統で出力される映像データは、スイッチ５２を介して入力インターフェース回路５３に供給される。入力インターフェース回路５３の記録制御通信コントローラ８６は、入出力端子８５を介して編集コントローラ６４から供給される記録制御信号及び処理開始及び終了時点のタイムコードに基いて、スイッチ７４及び７９に夫々スイッチング制御信号を供給すると共に、バッファメモリ８１に読み出し／書き込み制御信号及びアドレス信号を供給する。
【０２４４】
ここで、タイムコード入力回路８３はスイッチ７４を介して供給される映像データ中のタイムコードを抽出し、抽出したタイムコードを記録制御通信コントローラ８６に供給する。記録制御通信コントローラ８６は、入出力端子８５を介して編集コントローラ６４から供給される処理開始時点のタイムコードとタイムコード入力回路８３から供給されるタイムコード、処理終了時点のタイムコードと、タイムコード入力回路８３から供給されるタイムコードを夫々比較する。そして、処理開始時点のタイムコードとタイムコード入力回路８３から供給されるタイムコードが一致した場合には、バッファメモリ８１に供給する読み出し／書き込み信号の内のライトイネーブル信号をアクティブにし、この後、処理終了時点のタイムコードとタイムコード入力回路８３から供給されるタイムコードが一致した場合には、バッファメモリ８１に供給する読み出し／書き込み信号の内のライトイネーブル信号をインアクティブにする。
【０２４５】
これによって、バッファメモリ８１には、ＤＭＥ／ミクサ６０において処理されたＡロールとしての素材とＢロールとしての素材、つまり、特殊効果処理されたＡ及びＢロールとしての映像データが記憶される。このバッファ８１に記憶された特殊効果処理の施された映像データは、記録制御通信コントローラ８６からの読み出し／書き込み信号及びアドレス信号によって読み出され、出力端子８２及び図２に示したバス５４を介してディスクコントローラ５６に供給される。
【０２４６】
一方、システムコントローラ６３では、特殊効果処理の施された映像データの管理情報の生成が行われる。即ち、素材ＩＤ生成部２６が、効果処理が施されていない素材に与える素材ＩＤの上位桁よりも大きな値の素材ＩＤ“Ｖ０４８−００”を与える。ここで、下位桁を“００”としているのは、特殊効果及び音声処理を行って得た最初の素材だからである。従って、この素材を２度、３度と複数回処理すると、素材ＩＤ生成部２６は、その下位桁を“０１”、“０２”としていく。
【０２４７】
次に、アドレスサーチ部２０がメモリ部２７のアドレス管理テーブル２９を参照することで、ディスクドライブ５７にセットされているディスク上の空き領域の内、最も小さい値のアドレスを検出し、検出したアドレスデータを制御部３２に供給する。続いて、データ長判別部２４が、メモリ部２７のメモリ２８に記憶されている処理開始及び終了時点のタイムコードに基いて、記録データ長を得る。
【０２４８】
そして、制御部３２は、素材ＩＤ生成部２６からの素材ＩＤ“Ｖ０４８−００”をメモリ部２７のアドレス管理テーブル２９に記憶し、次に、アドレスサーチ部２０から供給されるアドレスデータを記録開始アドレスとしてメモリ部２７のアドレス管理テーブル２９に記憶し、次に、データ長判別部２４からのデータ長データをメモリ部２７のアドレス管理テーブル２９に記憶し、次にメモリ部２７のメモリ２８に記憶されている処理開始時点のタイムコードデータを読み出し、読み出したタイムコードデータを、素材記録開始タイムコードデータとしてアドレス管理テーブル２９に記憶する。尚、リールＩＤデータは、Ａロールとしての素材とＢロールとしての素材のリールＩＤデータが同一の場合は、そのリールＩＤデータをアドレス管理テーブル２９のリールＩＤデータの記憶領域に記憶し、異なる場合は、両方のリールＩＤデータを夫々アドレス管理テーブル２９から読み出した後に、記憶しようとしている素材ＩＤ“Ｖ０４８−００”のリールＩＤ記憶用の領域に記憶する。
【０２４９】
以上の処理と同時に、制御部３２は、この素材ＩＤ“Ｖ０４８−００”の記録開始アドレスデータと記録データ長データを、入出力端子３８を介してディスクコントローラ５６に供給する。ディスクコントローラ５６はディスクドライブ５７を制御し、ディスクドライブ５７にセットされているディスクに、入力インターフェース回路５３のバッファメモリ８１から読み出された、Ａロールとしての映像データとＢロールとしての映像データの内の処理した部分を記録する。
【０２５０】
これによって、図１０に示すように、素材ＩＤ“Ｖ０２５−０１”のＡロールとしての映像データと、素材ＩＤ“Ｖ０２６−０２”のＢロールとしての映像データとが特殊効果処理されて得られる、処理済み映像データが、ディスク上に記録される。そして、これと共に、この映像データに、新たな素材ＩＤ“Ｖ０４８−００”と記録開始アドレス、記録データ長、素材開始タイムコード、リールＩＤ等の管理情報が付与される。図１０に示した映像データＶｄの特殊効果処理部分である素材ＩＤ“Ｖ０４９−００”の映像データ、素材ＩＤ“Ｖ０５０−０３”の映像データ、素材ＩＤ“Ａ０４８ー００”の音声データ及び素材ＩＤ“Ａ０７２−００”の音声データも上述と同様にディスク上に記録される。
【０２５１】
従って、Ａロールとしての素材と、Ｂロールとしての素材でＡＢロール編集を行い、その結果得られた編集済みの映像及び音声データを全てディスクに記録する場合と比較して、ディスクの記録容量を大幅に節約することができる。
【０２５２】
次に、特殊効果及び音声処理を施した部分を元の素材とは別にディスクに記録すると共に、この特殊効果及び音声処理を施した部分に新たな管理情報を付加することで、アドレス管理テーブル２９上に映像データＶｄ及び音声データＡｄを登録した場合に、登録した映像データＶｄ及び音声データＡｄをディスクから読み出し、読み出した映像及び音声データを、図２に示した記録機６２にセットしたビデオ・テープ・カセットに記録する場合について説明する。記録する映像データＶｄ及び音声データＡｄが、図１０に示す素材ＩＤの与えられている映像データＶｄ及び音声データＡｄの場合を例にとり説明する。
【０２５３】
図１０に示したような順序で、映像データＶｄ及び音声データＡｄを、ディスクから再生し、再生した映像データＶｄ及び音声データＡｄを、図２に示した記録機６２にセットされているビデオ・テープ・カセットに記録する場合は、次のような手順が必要となる。
【０２５４】
つまり、オペレータは、操作部６５の操作パネル６６を介して、ディスクに記録されている映像及び音声データの素材ＩＤを順番に指定することによって図１０に示したような素材ＩＤデータからなるファイルを作成する。このファイルは編集コントローラ６４のメディアドライブ６４ｅにセットされているメディアに記憶される。オペレータは、意図した編集結果が得られるように、複数の素材ＩＤデータを操作部６５の操作パネル６６を用いて順次入力することによって、上記ファイルを作成することができる。
【０２５５】
編集コントローラ６４は、オペレータから入力されたファイル名のファイルデータ、即ち、複数の素材ＩＤデータをメディアドライブ６４ｅのメディアから読み出し、読み出した複数の素材ＩＤデータを一旦ＲＡＭ６４ｄに記憶すると共に、記憶した複数の素材ＩＤデータをシステムコントローラ６３に供給する。システムコントローラ６３の制御部３２は、編集コントローラ６４から入出力端子３３を介して供給される素材ＩＤデータを、メモリ部２７のメモリ２８に記憶する。
【０２５６】
続いて、制御部３２は、編集コントローラ６４から供給された複数の素材ＩＤデータと同じ素材ＩＤデータの記録開始アドレスデータ、記録データ長データ及び素材開始タイムコードデータをメモリ部２７のアドレス管理テーブル２９から読み出し、読み出した記録開始アドレスデータ、記録データ長データ及び素材開始タイムコードデータを、対応するメモリ２８の各素材ＩＤデータの領域に記憶する。そして、以下に説明するような手順で、順次記録開始アドレスデータ、記録データ長データを書き換える。以下の説明では、分かり易くするために、図１０に示した映像データＶｄ１を例にとり説明する。
【０２５７】
制御部３２は、素材ＩＤ“Ｖ０２５−０１”に付与されている記録データ長と、特殊効果処理部分である、素材ＩＤ“Ｖ０４８−００”の記録データ長から、素材ＩＤ“Ｖ０２５−０１”の新たな記録データ長を求める。素材ＩＤ“Ｖ０２５−０１”の新たな記録データ長は、図１０で説明すると、素材ＩＤ“Ｖ０２５−０１”の先頭から素材ＩＤ“Ｖ０４８−００”の先頭までの映像データで消費するセクタ数となる。
【０２５８】
次に、制御部３２は、素材ＩＤ“Ｖ０４８−００”に付与されている素材開始タイムコード及び記録データ長から、素材ＩＤ“Ｖ０４８−００”の最終部分のタイムコードを求め、求めたタイムコードと、素材ＩＤ“Ｖ０２６−０２”に付与されている素材開始タイムコードから、素材ＩＤ“Ｖ０２６−０２”の新たな記録データ長及び記録開始アドレスを求め、この新たに求めた記録データ長及び記録開始アドレスを、素材“Ｖ０２６−０２”に付与されている記録データ長及び記録開始アドレスとして書き換える。そして、制御部３２は、新たに求めたタイムコードを、素材ＩＤ“Ｖ０２６−０２”に付与されている素材開始タイムコードとして書き換える。
【０２５９】
これによって、メモリ部２７のメモリ２８に記憶されている複数の素材ＩＤの内、素材ＩＤ“Ｖ０２５−０１”に付与されている記録データ長データ、素材ＩＤ“０４８−０２”に付与されている記録開始アドレス、記録データ長データ及び素材開始タイムコードが夫々書き換えられる。しかしながら、アドレス管理テーブル２９内に記憶されている管理情報は、元のままである。これは、オペレータが素材ＩＤを上述と同様に順次指定して、編集用のファイルを何度でも作成できるようにするためである。
【０２６０】
以上のような手順で、特殊効果処理部分の前後の映像データ、音声処理部分の前後の音声データに夫々付与されている記録開始アドレス、記録データ長データ及び素材開始タイムコードデータがメモリ２８上で書き換えられる。従って、図１０の例では、素材ＩＤ“Ｖ０２８−０１”の記録データ長データが書き換えられ、素材ＩＤ“Ｖ０３３−０３”の記録開始アドレス、記録データ長データ及び素材開始タイムコードが書き換えられ、素材ＩＤ“Ｖ０３３−０５”の記録データ長データが書き換えられ、素材ＩＤ“Ｖ０３４−０２”の記録開始アドレス、記録データ長データ及び素材開始タイムコードが書き換えられ、素材ＩＤ“Ａ０２６−０１”の記録データ長データが書き換えられ、素材ＩＤ“Ａ０６０−０２”の記録開始アドレス、記録データ長データ及び素材開始タイムコードが書き換えられ、素材ＩＤ“Ａ０３４−０１”の記録開始アドレス、記録データ長データ及び素材開始タイムコードデータが書き換えられる。
【０２６１】
ところで、図１０において、素材ＩＤ“Ａ０６０−０２”の音声データは、他の部分と異なり、その両端に音声処理部分としての素材ＩＤ“Ａ０４８−００”と、“Ａ０７２−００”が配置されている。従って、本来、素材ＩＤ“Ａ０６０−０２”の音声データのデータの長さが、素材ＩＤ“Ａ０４８−００”と“ＦＡ０７２−００”のデータの長さを加算した長さであるとすれば、最初に、素材ＩＤ“０４８−００”と素材ＩＤ“Ａ０６０−０２”に着目して素材ＩＤ“Ａ０６０−０２”の記録開始アドレス、素材開始タイムコード及び記録データ長を求め、求めた記録開始アドレス、素材開始タイムコード及び記録データ長を、素材ＩＤ“Ａ０６０−０２”の記録開始アドレス、素材開始タイムコード及び記録データ長として書き換え、次に、素材ＩＤ“Ａ０６０−０２”と素材ＩＤ“Ａ０７２−００”に着目して素材ＩＤ“Ａ０６０−０２”の新たな記録データ長を求めるようにする。
【０２６２】
以上の処理によって、複数の素材ＩＤデータに夫々付与されている記録開始アドレス、記録データ長データ、素材開始タイムコードデータ、一方、編集コントローラ６４は、記録機６２に記録一時停止を示す記録再生制御信号を供給する。これによって、記録機６２は、記録一時停止状態となる。
【０２６３】
システムコントローラ６３の制御部３２は、メモリ部２７のメモリ２８から最初に再生すべき映像データの素材ＩＤ“Ｖ０２５−０１”の記録開始アドレスデータを読み出し、読み出した記録開始アドレスデータを、入出力端子３８を介してディスクコントローラ５６に供給する。続いて、システムコントローラ６３の制御部３２は、メモリ部２８から最初に再生すべき音声データの素材ＩＤ“Ａ０５２−０２”の記録開始アドレスデータを読み出し、読み出した記録開始アドレスデータを、入出力端子３８を介してディスクコントローラ５６に供給する。
【０２６４】
また、システムコントローラ６３の制御部３２は、出力端子４０を介してスイッチ６１にスイッチイング制御信号を供給し、スイッチ６１の可動接点６１ｄを固定接点６１ｂに接続させる。そして、システムコントローラ６３の演算部３０は、記録開始アドレスデータと記録データ長データを加算して得た値（最終アドレス）Ｌを再生する素材毎に得、１つの素材の再生終了点を得、これによって、ディスクコントローラ５６を介してディスクドライブ５７を制御する。
【０２６５】
ディスクコントローラ５６は、システムコントローラ６３から供給される記録開始アドレスデータに基いてディスクドライブ５７を制御する。これによって、最初はディスクドライブ５７のディスクから素材ＩＤ“Ｖ０２５−０１”の映像データが再生され、次に素材ＩＤ“Ａ０５２−０２”の音声データが再生される。再生された素材ＩＤ“Ｖ０２５−０１”の映像データ及び素材ＩＤ“Ａ０５２−０２”の音声データは、ディスクコントローラ５６及びバス５４を介して出力インターフェース回路５８に夫々供給される。
【０２６６】
出力インターフェース回路５８に供給された映像及び音声データは、上述したような圧縮復号化処理等が施された後に記録機６２に供給される。編集コントローラ６４は、記録機６２に対して記録開始を示す記録再生制御信号を供給し、記録機６２を記録一時停止状態から記録状態にする。これによって、記録機６２に供給された映像及び音声データは、記録機６２にセットされているビデオ・テープ・カセットに記録される。尚、映像データと音声データはディスクから順次再生されるので、時間差があるが、ディスクコントローラ５６によるディスクドライブ５７の制御、システムコントローラ６３による出力インターフェース回路５８のＦＩＦＯメモリ９１、或いは出力インターフェース回路９６及び１００に対する制御によってタイミングがとられた後に記録機６２に供給される。以上説明したような手順で、図１０に示した他の素材ＩＤの付与された映像及び音声データが順次記録機６２にセットされているビデオ・テープ・カセットに記録される。従って、ビデオ・テープ・カセットには、編集の施された映像及び音声データが記録される。
【０２６７】
このように、本例においては、再生機５１からの再生映像及び音声データ、或いは外部入力映像及び音声データから所望の部分をカットし、カットして得た素材としての映像及び音声データを夫々ディスクに記録すると共に、ディスクに記録した映像及び音声データに夫々素材ＩＤ、記録開始アドレス、記録データ長、素材開始タイムコード、リールＩＤ等の管理情報を付与し、この管理情報を素材毎にアドレス管理テーブル２９に記憶するようにしたので、素材の管理を簡単に行えるようにすることができると共に、タイムコードを用いた編集作業を行うことができ、オペレータに従来と同じタイムコードによる編集作業環境を最も効率良く提供することができる。
【０２６８】
また、一旦ディスクに記録した素材に長さ等の変更を行う場合には、素材そのものを再度ディスクに記録するのではなく、変更後の素材に対して新たな管理情報を付与し、新たな管理情報をアドレス管理テーブル２９に記憶するようにしたので、ディスクの記録容量を大幅に節約できると共に、再度映像及び音声データそのものをディスクに記録しなくても済むので、作業を簡単、且つ、効率良く行うことができる。
【０２６９】
また、２つの素材を特殊効果及び音声処理した場合、処理した部分の映像や音声データのみをディスクに新たに記録し、この新たに記録した素材に対して管理情報を付与するようにしたので、処理部分以外も含めた全ての映像及び音声データをディスクに記録する場合と比較して大幅にディスクの記録容量を節約できる。
【０２７０】
また、編集したい素材の素材ＩＤを入力するだけで簡単に編集ファイルを作成できるようにすると共に、そのファイルの指定を行うだけで、自動的に編集コントローラ６４及びシステムコントローラ６３がディスクからのアクセスと、再生した素材の記録機６２への記録を行えるようにしたので、編集効率の向上、編集作業の簡単化、編集精度向上を図ることができる。
【０２７１】
［実施例２］
上記実施例１においては、素材としての映像及び音声データを、セクタを区切りとして記録するようにするが、一般的にディスクの１セクタの記録容量は、２５６バイトか５１２バイトに設定されることが多いので、素材としての映像及び音声データが、丁度Ｎセクタに収まらない可能性が高い。従って、最終記録セクタに余りが生じた場合に、最終記録セクタ番号から何バイト分映像及び音声データが記録されているかを示すバイト数データを得、これをアドレス管理情報に追加するようにしても良い。このようにした場合は、最初の素材の最終記録セクタ番号が、次の素材の記録開始セクタ番号となるが、最初の素材の最終記録セクタからのバイト数データがアドレス管理情報に記憶されていれば、セクタ内に未使用領域を発生させないで済み、ディスクをより有効に使用することができる。
【０２７２】
［実施例３］
上記実施例１においては、編集ファイルを指定した後に、システムコントローラ６３がアドレス管理テーブル２９から対応する管理情報を読み出し、読み出した管理情報を、変更し、変更後の記録開始アドレス及び記録データ長に基いてディスクのアクセスを行うようにした場合について説明したが、編集コントローラ６４で編集ファイルを作成した時点に、編集コントローラ６４が、システムコントローラ６３から管理情報を得、得た管理情報を変更した後に、編集ファイルデータをシステムコントローラ６３に供給するようにしても良い。
【０２７３】
【発明の効果】
上述せる本発明記録再生方法によれば、記録時においては、素材としての映像や音声情報を記録媒体に記録すると共に、記録媒体に記録した素材に、少なくともＩＤ、記録媒体におけるアドレス、タイムコードからなる管理情報を付与し、再生時においては、ＩＤを１つまたは複数指定したときに、指定されたＩＤに対応する素材を、記録媒体から少なくとも指定された順序で再生するようにしたので、ＩＤが指定されたときに、対応する管理情報に基いて自動的に再生制御を行うことができるので、ディスクに記録された素材の内、所望の素材をＩＤの指定だけで再生することができ、ディスクに記録された素材をＩＤをキーワードにして管理でき、これによって、同じ素材がディスク上に重複して記録されることがなくなり、よって、効率良くディスクを使用でき、ディスクに記録した映像及び音声データの管理を簡単にし、ディスクに記録されている映像及び音声データを用いた記録再生処理を、タイムコードを参照すると共にＩＤを用いて行うことにより、簡単、且つ、高速にし、装置やシステムを簡単、且つ、小型化することができるという効果がある。
【０２７４】
また上述せる本発明記録再生方法によれば、素材としての映像や音声情報を記録媒体に記録すると共に、記録媒体に記録した素材に、少なくともＩＤ、記録媒体におけるアドレス、タイムコードからなる管理情報を付与し、記録媒体に記録した素材のアドレスや長さを変更する際には、変更すべき素材に付与されている管理情報の他に新たな管理情報を生成し、ＩＤを１つまたは複数指定したときに、記録媒体から指定されたＩＤに対応する素材を、少なくとも指定された順序で再生するようにしたので、ＩＤが指定されたときに、そのＩＤに対応する管理情報に基いて自動的に順次再生制御を行うことができるので、ディスクに記録された素材の内、所望の素材をＩＤの指定で、しかも、ＩＤの指定順序で再生することができ、ディスクに記録された素材をＩＤをキーワードにして管理でき、これによって、ＩＤが指定されたときに、対応する管理情報に基いて順次指定されたＩＤに対応する素材を自動的に再生制御を行うことができるので、ディスクに記録された素材の内、所望の素材をＩＤの指定だけで再生することができ、ディスクに記録された素材をＩＤをキーワードにして管理でき、これによって、同じ素材がディスク上に重複して記録されることがなくなり、よって、効率良くディスクを使用でき、ディスクに記録した映像及び音声データの管理を簡単にし、ディスクに記録されている映像及び音声データを用いた記録再生処理を、タイムコードを参照すると共にＩＤを用いて行うことにより、簡単、且つ、高速にし、装置やシステムを簡単、且つ、小型化することができるという効果がある。
【０２７５】
また上述せる本発明記録再生装置によれば、再生または入力素材としての映像や音声情報をディスクに記録し、ディスクに記録した素材を再生するようにした記録再生装置において、再生または入力素材をディスクに記録する際に、少なくともＩＤ、ディスク上のアドレス、タイムコードからなる管理情報を管理情報生成手段で生成し、この管理情報生成手段で生成した管理情報を記憶手段に記憶し、再生制御手段がディスクから素材を再生する際に、指定されたＩＤに対応する、記憶手段に記憶されている管理情報に基いて再生手段に対して再生制御を行い、ディスクに記録されている素材を再生するようにしたので、ＩＤが指定されたときに、制御手段が、そのＩＤに対応する管理情報に基いて自動的に再生制御を行うので、ＩＤが指定されたときに、制御手段が対応する管理情報を得、この管理情報に基いて自動的に再生制御を行うので、ディスクに記録された素材の内、所望の素材をＩＤの指定だけで再生することができ、ディスクに記録された素材をＩＤをキーワードにして管理でき、これによって、同じ素材がディスク上に重複して記録されることがなくなり、よって、効率良くディスクを使用でき、ディスクに記録した映像及び音声データの管理を簡単にし、ディスクに記録されている映像及び音声データを用いた記録再生処理を、タイムコードを参照すると共にＩＤを用いて行うことにより、簡単、且つ、高速にし、装置やシステムを簡単、且つ、小型化することができるという効果がある。
【０２７６】
また上述せる本発明によれば、上記記録再生装置において、管理情報生成手段のＩＤサーチ手段により、記憶手段に記憶されているＩＤの内、使用されていない最も小さいＩＤをサーチし、ＩＤサーチ手段のサーチ結果に基いてＩＤ生成手段によってＩＤを生成し、アドレスサーチ手段によって記憶手段に記憶されている管理情報を参照し、ディスクの空き領域の内、最も小さいアドレスをサーチし、素材のディスクへの記録開始時点のタイムコードをタイムコード判別手段で判別し、ディスクに記録する素材のデータ長をデータ長検出手段で検出し、制御手段によってＩＤ生成手段からのＩＤデータ、アドレスサーチ手段からのアドレスデータ、タイムコード判別手段からの判別結果に基いて記録すべき素材の管理情報を生成し、生成した管理情報を記憶手段に記憶するようにしたので、二重にＩＤを生成しないようにすることができると共に、ディスクから素材を再生する際に必要なアドレスデータやデータ長データ等の管理情報を予め得ることができ、指定されたＩＤを用いてディスクに記録されている素材を確実、且つ、高速に再生することができ、これによって、更に、管理情報を確実、且つ、正確に生成することができ、記録再生処理を精度良く（オペレータが意図した通りに処理が行える等）行うことができるという効果がある。
【０２７７】
また上述せる本発明記録再生装置によれば、再生または入力素材としての映像や音声情報をディスクに記録し、ディスクに記録した素材を再生するようにした記録再生装置において、再生または入力素材をディスクに記録する際に、管理情報生成手段により、少なくともＩＤ、ディスク上のアドレス、タイムコードからなる管理情報を生成し、この管理情報生成手段で生成した管理情報を記憶手段に記憶し、１つ或いは複数のＩＤデータで１つのファイルを構成させ、再生時においては、指定されたファイルを構成するＩＤデータに対応する、記憶手段に記憶されている管理情報に基いて再生制御手段で再生制御を行い、この再生制御手段からの制御情報に基いてディスクに記録されている素材を再生手段で再生するようにしたので、ファイル名が指定されたときに、制御手段が、そのファイルのＩＤに対応する管理情報に基いて自動的に再生制御を行うので、ディスクに記録された素材の内、所望の素材をＩＤの指定だけで再生することができ、ディスクに記録された素材をＩＤをキーワードにして管理でき、ファイル名の指定だけで、そのファイルデータとしてのＩＤデータに基いて順次素材を自動的に再生することができると共に、ディスク上の記録素材をファイル単位で非常に多くの再生パターンで再生を行うことができ、これによって、同じ素材がディスク上に重複して記録されることがなくなり、よって、効率良くディスクを使用でき、ディスクに記録した映像及び音声データの管理を簡単にし、ディスクに記録されている映像及び音声データを用いた記録再生処理を、タイムコードを参照すると共にＩＤを用いて行うことにより、簡単、且つ、高速にし、装置やシステムを簡単、且つ、小型化することができ、また、素材としての映像や音声情報そのものを再生し、記録する場合と異なり、ディスク上に記録されている映像及び音声を１或いは複数のＩＤからなるファイルで指定できるので、ディスク上に記録されている素材を何度でも用いて様々なパターンの再生を行うことができるので、いわゆるリハーサルや、やり直し等を行え、これによって、オペレータにより簡単、且つ、効率の良い記録再生作業環境を提供することができるという効果がある。
【０２７８】
また上述せる本発明記録再生装置によれば、再生または入力素材としての映像や音声情報をディスクに記録し、ディスクに記録した素材を再生するようにした記録再生装置において、再生または入力素材をディスクに記録する際に、少なくともＩＤ、ディスク上のアドレス、タイムコードからなる管理情報を管理情報生成手段で生成し、この管理情報生成手段で生成した管理情報を記憶手段に記憶し、記録時に記録しようとする素材にタイムコードデータが付加されているか否かを判別手段で判別し、この判別手段の判別結果により、タイムコード発生手段が記録しようとする素材にタイムコードが付加されていないことを認識した場合にタイムコードを発生し、発生したタイムコードを記録しようとする素材に付加し、ディスクから素材を再生する際に、指定されたＩＤに対応する、記憶手段に記憶されている管理情報に基いて再生制御手段が再生制御を行い、この再生制御手段からの制御情報に基いてディスクに記録されている素材を再生手段で再生し、再生手段によってディスクから再生された素材からタイムコード抽出手段でタイムコードを抽出し、このタイムコード抽出手段からのタイムコードを表示手段に表示するようにしたので、ＩＤが指定されたときに、制御手段が、そのＩＤに対応する管理情報に基いて自動的に再生制御を行うので、ディスクに記録された素材の内、所望の素材をＩＤの指定だけで再生することができ、ディスクに記録された素材をＩＤをキーワードにして管理でき、更に、記録しようとする素材にタイムコードが付加されない場合においても、タイムコードを付加してディスクに記録することができるので、再生時においては、必ずタイムコードを表示手段で表示することができ、従ってタイムコードを基準にしたオペレーティングを行うことができ、これによって、同じ素材がディスク上に重複して記録されることがなくなり、よって、効率良くディスクを使用でき、ディスクに記録した映像及び音声データの管理を簡単にし、ディスクに記録されている映像及び音声データを用いた記録再生処理を、タイムコードを参照すると共にＩＤを用いて行うことにより、簡単、且つ、高速にし、装置やシステムを簡単、且つ、小型化することができ、また、ＩＤを用いた記録再生処理でありながら、タイムコードをも用いることができることにより、より記録再生処理を簡単、且つ、効率良く行うことができるという効果がある。
【０２７９】
また上述せる本発明記録再生装置によれば、再生または入力素材としての映像や音声情報をディスクに記録し、ディスクに記録した素材を再生するようにした記録再生装置において、再生または入力素材をディスクに記録する際、或いはディスクに記録した素材のアドレスや長さを変更する際に、少なくともＩＤ、ディスク上のアドレス、タイムコードからなる管理情報を管理情報生成手段で生成し、この管理情報生成手段で生成した管理情報を記憶手段に記憶し、ディスクから素材を再生する際に、指定されたＩＤに対応する、記憶手段に記憶されている管理情報に基いて再生制御手段により再生手段に対して再生制御を行い、ディスクに記録されている素材を再生するようにしたので、ＩＤが指定されたときに、制御手段が、そのＩＤに対応する管理情報に基いて自動的に再生制御を行うので、ディスクに記録された素材の内、所望の素材をＩＤの指定だけで再生することができ、ディスクに記録された素材をＩＤをキーワードにして管理でき、これによって、同じ素材がディスク上に重複して記録されることがなくなり、よって、効率良くディスクを使用でき、ディスクに記録した映像及び音声データの管理を簡単にし、ディスクに記録されている映像及び音声データを用いた記録再生処理を、タイムコードを参照すると共にＩＤを用いて行うことにより、簡単、且つ、高速にし、装置やシステムを簡単、且つ、小型化することができ、また、ディスクに記録した素材のアドレスや長さを変更する場合にも管理情報を生成するようにしたことにより、例えば元の素材と変更後の素材を比較する場合や、変更後の素材の管理情報を元の素材の管理情報に戻す場合にも、高速に再現でき、記録し直す必要がないので、より記録再生処理を高速、且つ、効率良く行うことができる。
【０２８０】
また上述せる本発明記録再生装置によれば、再生または入力素材としての映像や音声情報をディスクに記録し、ディスクに記録した素材を再生するようにした記録再生装置において、再生または入力素材をディスクに記録する際に、少なくともＩＤ、ディスク上のアドレス、タイムコードからなる管理情報を管理情報生成手段で生成し、この管理情報生成手段で生成した管理情報を記憶手段に記憶し、再生時においては、指定された１つまたは複数のＩＤに対応する、記憶手段に記憶されている管理情報に基いて再生制御手段により再生手段に対して順次再生制御を行い、ディスクに記録されている素材を再生するようにしたので、ＩＤが指定されたときに、制御手段が、そのＩＤに対応する管理情報に基いて自動的に再生制御を行うので、ディスクに記録された素材の内、所望の素材をＩＤの指定だけで再生することができ、ディスクに記録された素材をＩＤをキーワードにして管理でき、これによって、同じ素材がディスク上に重複して記録されることがなくなり、よって、効率良くディスクを使用でき、ディスクに記録した映像及び音声データの管理を簡単にし、ディスクに記録されている映像及び音声データを用いた記録再生処理を、タイムコードを参照すると共にＩＤを用いて行うことにより、簡単、且つ、高速にし、装置やシステムを簡単、且つ、小型化することができるという効果がある。
【０２８１】
また上述せる本発明編集方法によれば、記録時においては、所望の長さの素材としての映像や音声情報をディスクに記録すると共に、ディスクに記録した素材に、少なくともＩＤ、ディスクにおけるアドレス、タイムコードからなる管理情報を付与し、再生時においては、ＩＤを１つまたは複数指定したときに、記録媒体から指定されたＩＤに対応する管理情報に基いて、指定されたＩＤに対応する素材を、少なくとも指定された順序で再生し、再生した素材に編集処理を施し、編集処理を施した素材の内、編集部分に対応する素材をディスクに記録すると共に、編集部分に対応する素材に、少なくともＩＤ、ディスクにおけるアドレス、タイムコードからなる管理情報を付与し、再生時においては、ＩＤを１つまたは複数指定したときに、記録媒体から指定されたＩＤに対応する管理情報に基いて、指定されたＩＤに対応する素材を、少なくとも指定された順序で再生するようにしたので、ＩＤが指定されたときに、そのＩＤに対応する管理情報に基いて自動的に再生制御を行うことができるので、ディスクに記録された素材の内、所望の素材や編集処理した素材をＩＤの指定だけで再生することができ、ディスクに記録された素材をＩＤをキーワードにして再生してディスクの記録容量を効率良く使用しながら簡単、且つ、良好に編集を行うこと、並びにディスクに記録された素材を簡単に管理することができ、これによって、同じ素材がディスク上に重複して記録されることがなくなり、よって、効率良くディスクを使用でき、ディスクに記録した映像及び音声データの管理を簡単にし、ディスクに記録されている映像及び音声データを用いた編集処理を、タイムコードを参照すると共にＩＤを用いて行うことにより、簡単、且つ、高速にし、装置やシステムを簡単、且つ、小型化することができるという効果がある。
【０２８２】
また上述せる本発明によれば、上記編集方法において、ディスクに記録した素材のアドレスや長さを変更する際には、変更すべき素材に付与されている管理情報の他に新たな管理情報を生成するようにしたので、ディスクに記録された素材の内、所望の素材をＩＤの指定で、しかも、ＩＤの指定順序で再生することができ、ディスクに記録された素材をＩＤをキーワードにして管理でき、これによって、上記第１８の発明における効果に加えて、更に、ディスクに記録した素材のアドレスや長さを変更する場合にも管理情報を生成するようにしたことにより、例えば元の素材と変更後の素材を比較する場合や、変更後の素材の管理情報を元の素材の管理情報に戻す場合にも、高速に再現でき、記録し直す必要がないので、より編集処理を高速、且つ、効率良く行うことができる。
【０２８３】
また上述せる本発明編集装置によれば、再生または入力素材としての映像や音声情報をディスクに記録し、ディスクに記録した素材を再生し、再生した素材に対して編集処理を施すようにした編集装置において、再生または入力素材をディスクに記録する際、または編集処理された素材をディスクに記録する際に、少なくともＩＤ、ディスク上のアドレス、タイムコードからなる管理情報を管理情報生成手段で生成し、この管理情報生成手段で生成した管理情報を記憶手段に記憶し、ディスクから素材を再生する際に、指定されたＩＤに対応する、記憶手段に記憶されている管理情報に基いて再生制御手段が再生手段に対して再生制御を行い、ディスクに記録されている素材を再生し、この再生手段によって再生された素材に対し編集処理手段によって編集処理を施し、指定された１つ或いは複数のＩＤに対応する管理情報に基いて再生制御手段が再生手段を制御することで、ディスクから再生される素材並びに編集処理された素材を、記録手段によってディスクに記録するようにしたので、ＩＤが指定されたときに、制御手段が対応する管理情報を得、この管理情報に基いて自動的に再生制御を行うので、ディスクに記録された素材の内、所望の素材や編集処理した素材をＩＤの指定だけで再生することができ、ディスクに記録された素材をＩＤをキーワードにして再生してディスクの記録容量を効率良く使用しながら簡単、且つ、良好に編集を行うこと、並びにディスクに記録された素材を簡単に管理することができ、これによって、同じ素材がディスク上に重複して記録されることがなくなり、よって、効率良くディスクを使用でき、ディスクに記録した映像及び音声データの管理を簡単にし、ディスクに記録されている映像及び音声データを用いた編集処理を、タイムコードを参照すると共にＩＤを用いて行うことにより、簡単、且つ、高速にし、装置やシステムを簡単、且つ、小型化することができるという効果がある。
【０２８４】
また上述せる本発明編集装置によれば、再生または入力素材としての映像や音声情報をディスクに記録し、ディスクに記録した素材を再生し、再生した素材に対して編集処理を施すようにした編集装置において、再生または入力素材をディスクに記録する際、または編集処理された素材をディスクに記録する際に、少なくともＩＤ、ディスク上のアドレス、タイムコードからなる管理情報を管理情報生成手段で生成し、この管理情報生成手段で生成した管理情報を記憶手段に記憶し、記録時に記録しようとする素材にタイムコードデータが付加されているか否かを判別手段で判別し、この判別手段の判別結果により、タイムコード発生手段が記録しようとする素材にタイムコードが付加されていないことを認識した場合にタイムコードを発生し、発生したタイムコードを記録しようとする素材に付加し、ディスクから素材を再生する際に、指定されたＩＤに対応する、記憶手段に記憶されている管理情報に基いて再生制御手段が再生手段に対して再生制御を行い、ディスクに記録されている素材を再生し、この再生手段によってディスクから再生された素材からタイムコード抽出手段でタイムコードを抽出し、このタイムコード抽出手段からのタイムコードを表示手段に表示し、再生手段によって再生された素材に対して編集処理手段で編集処理を施すようにしたので、ＩＤが指定されたときに、制御手段が対応する管理情報を得、この管理情報に基いて自動的に再生制御を行うので、ディスクに記録された素材の内、所望の素材や編集処理した素材をＩＤの指定だけで再生することができ、ディスクに記録された素材をＩＤをキーワードにして再生してディスクの記録容量を効率良く使用しながら簡単、且つ、良好に編集を行うこと、並びにディスクに記録された素材を簡単に管理することができ、更に、タイムコードの付加されていない素材にはタイムコードを付加してディスクに記録し、再生時に表示手段のタイムコードを表示するようにしているので、ディスクを用いた編集であってもタイムコードを用いた編集を行うことができ、これによって、同じ素材がディスク上に重複して記録されることがなくなり、よって、効率良くディスクを使用でき、ディスクに記録した映像及び音声データの管理を簡単にし、ディスクに記録されている映像及び音声データを用いた編集処理を、タイムコードを参照すると共にＩＤを用いて行うことにより、簡単、且つ、高速にし、装置やシステムを簡単、且つ、小型化することができ、また、ディスク上に記録されている素材をタイムコードを用いて管理することができ、ＩＤを用いたアクセスと併用できることにより、使いなれているタイムコードをも参照でき、オペレータにより操作し易い編集環境を提供することができるという効果がある。
【０２８５】
また上述せる本発明編集装置によれば、再生または入力素材としての映像や音声情報をディスクに記録し、ディスクに記録した素材を再生し、再生した素材に対して編集処理を施すようにした編集装置において、再生または入力素材をディスクに記録する際、または編集処理された素材をディスクに記録する際に、少なくともＩＤ、ディスク上のアドレス、データ長、タイムコードからなる管理情報を管理情報生成手段で生成し、この管理情報生成手段で生成した管理情報を第１の記憶手段に記憶し、ディスクから素材を再生する際に、指定されたＩＤに対応する、第１の記憶手段に記憶されている管理情報に基いて再生制御手段で再生手段に対して再生制御を行い、ディスクに記録されている素材を再生し、この再生手段によって再生された素材に対し、編集処理手段で編集処理を施し、指定手段を介してＩＤを入力することによって第１の素材、第２の編集済みの素材、第３の素材が指定されたときに、第１の素材、第２の編集済み素材、第３の素材を再生する際に、第１の素材、第２の編集済み素材、第３の素材に夫々付与されている管理情報を第１の記憶手段から順次読み出し、読み出した管理情報を第２の記憶手段に記憶し、第２の記憶手段に記憶した第１の素材、第２の編集済み素材、第３の素材の管理情報の内、少なくとも第１の素材の管理情報のデータ長データ、第３の素材の管理情報のディスク上のアドレスデータ、データ長データ及びタイムコードデータを管理情報変更手段で変更するようにしたので、ＩＤが指定されたときに、制御手段が対応する管理情報を得、この管理情報に基いて自動的に再生制御を行うので、ディスクに記録された素材の内、所望の素材や編集処理した素材をＩＤの指定だけで再生することができ、ディスクに記録された素材をＩＤをキーワードにして再生してディスクの記録容量を効率良く使用しながら簡単、且つ、良好に編集を行うこと、並びにディスクに記録された素材を簡単に管理することができ、更に、第１の素材と第２の素材の編集部分としての第３の素材のみを別途記録することができるので、ディスクの記録容量の大幅な節約ができると共に、第１、第２及び第３の素材を第３の素材を編集して生成したときと同じ状態で１系統の素材として出力することができ、これによって、同じ素材がディスク上に重複して記録されることがなくなり、よって、効率良くディスクを使用でき、ディスクに記録した映像及び音声データの管理を簡単にし、ディスクに記録されている映像及び音声データを用いた編集処理を、タイムコードを参照すると共にＩＤを用いて行うことにより、簡単、且つ、高速にし、装置やシステムを簡単、且つ、小型化することができ、また、例えばいわゆるＡＢロール等の編集においても、ディスクの記録容量の大幅な節約を行うと共に、ＩＤの指定だけでＡＢロール編集による編集テープを得ることができ、オペレータに使いやすい編集環境を提供することができるという効果がある。
【０２８６】
また上述せる本発明によれば、上記各発明において、１つ或いは複数のＩＤデータで１つのファイルを構成させ、再生時において、ファイル名を指定したときに、指定されたファイルを構成するＩＤデータに対応する素材を、順次再生するようにしたので、ファイル名が指定されたときに、そのファイル名の対応ＩＤに対応する管理情報に基いて自動的に再生制御を行うことができるので、ファイル名の指定だけで、そのファイルデータとしてのＩＤデータに基いて順次素材を自動的に再生することができると共に、ディスク上の記録素材をファイル単位で非常に多くの再生パターンで再生を行うことができ、これによって、上記第１の発明における効果に加えて、素材としての素材そのものを再生し、記録する場合と異なり、ディスク上に記録されている映像及び音声を１或いは複数のＩＤからなるファイルで指定できるので、ディスク上に記録されている素材を何度でも用いて様々なパターンの再生を行うことができるので、いわゆるリハーサルや、やり直し等を行え、これによって、オペレータにより簡単、且つ、効率の良い記録再生作業環境を提供することができるという効果がある。
【０２８７】
また上述せる本発明によれば、上記各発明において、１つ或いは複数のＩＤデータで１つのファイルを構成させ、再生時において、ファイル名を指定したときに、指定されたファイルを構成するＩＤデータに対応する素材を、順次再生するようにしたので、ＩＤデータから元の素材と元の情報から変更された回数を検出することができ、元の素材としての映像や音声情報と、この元の素材としての映像や音声情報から変更されて得られた素材の管理を効率良く行うことができ、これによって、上記第１８の発明における効果に加えて、更に、ＩＤのデータそのもので、元の素材と、元の素材からの変更回数を確認することができ、ディスク上に記録されている素材そのもの、及び、ディスク上に記録されている素材から変更されている素材（ディスク上では元の素材だけが存在する）を簡単、且つ、容易に管理することができるという効果がある。
【０２８８】
また上述せる本発明によれば、上記各発明において、ディスクに素材を記録する際に、素材中のタイムコード、或いは素材に付加されているタイムコードをも記録し、再生時においては、素材と共に、タイムコードも再生するようにしたので、ディスク上に記録されている素材を再生しながら、対応するタイムコードをも再生することができ、再生したタイムコードに基いた処理を行うことができ、これによって、上記第１８の発明における効果に加えて、更に、ディスク上に記録されている素材をタイムコードを用いて管理することができ、ＩＤを用いたアクセスと併用できることにより、使いなれているタイムコードをも参照でき、オペレータにより操作し易い編集環境を提供することができるという効果がある。
【図面の簡単な説明】
【図１】本発明記録再生方法及びその装置並びに編集方法及びその装置の一実施例の要部を示す構成図である。
【図２】本発明記録再生方法及びその装置並びに編集方法及びその装置の一実施例の適用される編集システムの例を示す構成図である。
【図３】図２に示した入力インターフェース回路５３の内部構成例を示す構成図である。
【図４】図２に示した出力インターフェース回路５８及び５９の内部構成例を示す構成図である。
【図５】本発明記録再生方法及びその装置並びに編集方法及びその装置の一実施例の説明に供する管理情報の一例を示す説明図である。
【図６】本発明記録再生方法及びその装置並びに編集方法及びその装置の一実施例の説明に供するディスクに記録した素材を管理情報によってカットする場合を説明するための説明図である。
【図７】本発明記録再生方法及びその装置並びに編集方法及びその装置の一実施例の説明に供する素材の記録時に管理情報を生成して記憶する場合の動作を説明するためのフローチャートである。
【図８】本発明記録再生方法及びその装置並びに編集方法及びその装置の一実施例の説明に供する素材の再生時の動作を説明するためのフローチャートである。
【図９】本発明記録再生方法及びその装置並びに編集方法及びその装置の一実施例の説明に供する素材の長さを変更する場合の動作を説明するためのフローチャートである。
【図１０】本発明記録再生方法及びその装置並びに編集方法及びその装置の一実施例の説明に供する編集時の動作を説明するためのフローチャートである。
【図１１】従来の編集装置の一例を示す構成図である。
【符号の説明】
２０  アドレスサーチ部
２１  素材ＩＤサーチ部
２３  タイムコード判別部
２４  データ長判別部
２５  リールＩＤ判別部
２６  素材ＩＤ生成部
２７  メモリ部
２８  メモリ
２９  アドレス管理テーブル
３０  演算部
３１  タイムコード発生部
３２  制御部
５０Ａ、５０Ｂ  ビデオ・テープ・カセット
５１  再生機
５３  入力インターフェース回路
５５  バスコントローラ
５６  ディスクコントローラ
５７  ディスクドライブ
５８、５９  出力インターフェース回路
６０  ＤＭＥ／ミクサ
６２  記録機
６３  システムコントローラ
６４  編集コントローラ
６５  操作部
６６  操作パネル
６７  表示部
【図１】
0003666043.tif 000002
【図２】
0003666043.tif 000003
【図３】
0003666043.tif 000004
【図４】
0003666043.tif 000005
【図５】
0003666043.tif 000006
【図６】
0003666043.tif 000007
【図７】
0003666043.tif 000008
【図８】
0003666043.tif 000009
【図９】
0003666043.tif 000010
【図１０】
0003666043.tif 000011
【図１１】
0003666043.tif 000012